(57)【要約】  いくつかの実施形態によれば、ネットワークノードにおいて使用するための方法が開示される。本方法は、１つまたは複数のネイバリングネットワークノードに関連付けられたネットワークスライス利用可能性を取得することを含む。ネットワークスライス利用可能性は、複数のネットワークスライスのうちのどれが１つまたは複数のネイバリングネットワークノードの各々によってサポートされるかを示す。本方法は、１つまたは複数のネイバリングネットワークノードのネットワークスライス利用可能性に基づいて無線デバイスのスライスコネクティビティを管理することをさらに含む。【選択図】図４
2020502884.tif 000002
【特許請求の範囲】
【請求項１】
第１のネットワークノードにおける方法であって、
１つまたは複数のネイバリングネットワークノードに関連付けられたネットワークスライス利用可能性を取得すること（Ｓ１３１０）であって、前記ネットワークスライス利用可能性は、複数のネットワークスライスのうちのどれが前記１つまたは複数のネイバリングネットワークノードの各々によってサポートされるかを示す、取得すること（Ｓ１３１０）と、
前記１つまたは複数のネイバリングネットワークノードの前記ネットワークスライス利用可能性に基づいて無線デバイスのスライスコネクティビティを管理すること（Ｓ１３２０）と、
を含む、方法。
【請求項２】
前記ネットワークスライスの各々が、他のネットワークスライスのネットワーク機能とは異なる特性を有するそれぞれのネットワーク機能をサポートするそれぞれの論理ネットワークを備える、請求項１に記載の方法。
【請求項３】
前記ネットワークスライスの各々が、他のネットワークスライスによってサポートされる事業活動に依存しないそれぞれの事業活動をサポートする、請求項１または２に記載の方法。
【請求項４】
前記１つまたは複数のネイバリングノードが複数のコアネットワークノードを含み、前記無線デバイスの前記スライスコネクティビティを管理することは、
前記無線デバイスが前記ネットワークスライスのうちのどれを使用することを要求するかを示すスライス識別子を受信すること（Ｓ１３２１）と、
前記ネットワークスライス利用可能性に基づいて前記コアネットワークノードのうちの１つまたは複数を選択すること（Ｓ１３２２）であって、前記１つまたは複数の選択されたコアネットワークノードが、前記スライス識別子によって示された前記ネットワークスライスをサポートする、選択すること（Ｓ１３２２）と、
前記１つまたは複数の選択されたコアネットワークノードへのアクセスを前記無線デバイスに与えること（Ｓ１３２３）と
を含む、請求項１から３のいずれか一項に記載の方法。
【請求項５】
前記スライス識別子は、前記無線デバイスが使用することを要求する前記ネットワークスライスの各々についての別個のスライス識別子を含む、請求項４に記載の方法。
【請求項６】
前記１つまたは複数のネイバリングノードが複数の無線ネットワークノードを含み、前記無線デバイスの前記スライスコネクティビティを管理することは、
前記無線デバイスが前記ネットワークスライスのうちのどれに接続されるかを決定することと、
前記ネットワークスライス利用可能性に基づいて、ハンドオーバのために前記無線ネットワークノードのうちの１つを選択することであって、前記選択された無線ネットワークノードは、前記無線デバイスが接続された（１つまたは複数の）前記ネットワークスライスをサポートする、選択することと、
前記選択された無線ネットワークノードへの前記無線デバイスのハンドオーバを開始することと
を含む、請求項１から５のいずれか一項に記載の方法。
【請求項７】
前記複数のネットワークスライスが第１のネットワークスライスを備え、前記無線デバイスの前記スライスコネクティビティを管理することは、
前記ネットワークスライス利用可能性に基づいて、前記無線デバイスが、前記第１のネットワークスライスをサポートしない無線アクセスノードに接続されたと決定したことに応答して、前記無線デバイスと前記第１のネットワークスライスとの間の接続を削除すること
を含む、請求項１から６のいずれか一項に記載の方法。
【請求項８】
前記複数のネットワークスライスが第１のネットワークスライスを備え、前記無線デバイスの前記スライスコネクティビティを管理することは、
前記ネットワークスライス利用可能性に基づいて、前記無線デバイスが、前記第１のネットワークスライスをサポートする無線アクセスノードに接続されたと決定したことに応答して、前記無線デバイスと前記第１のネットワークスライスとの間の接続を追加すること
を含む、請求項１から７のいずれか一項に記載の方法。
【請求項９】
前記複数のネットワークスライスが第１のネットワークスライスを備え、前記無線デバイスの前記スライスコネクティビティを管理することは、
前記無線デバイスが、前記第１のネットワークスライスをサポートしない無線アクセスノードに接続されたと決定したことに応答して、前記無線デバイスを前記第１のネットワークスライスに接続したいという要求を拒否すること
を含む、請求項１から８のいずれか一項に記載の方法。
【請求項１０】
前記ネットワークスライス利用可能性の少なくとも一部分が、前記第１のネットワークノードと前記ネイバリングネットワークノードのうちの少なくとも１つとの間の初期接続セットアップ中に取得される、請求項１から９のいずれか一項に記載の方法。
【請求項１１】
前記ネットワークスライス利用可能性の少なくとも一部分が、前記第１のネットワークノードと前記ネイバリングネットワークノードのうちの１つとの間のハンドオーバシグナリングから取得される、請求項１から１０のいずれか一項に記載の方法。
【請求項１２】
前記ネットワークスライス利用可能性の少なくとも一部分は、前記無線デバイスがアイドル状態からアクティブ状態への状態遷移を実施したことに応答して取得される、請求項１から１１のいずれか一項に記載の方法。
【請求項１３】
前記第１のネットワークノードにおいてスライス接続情報を維持することであって、前記スライス接続情報は、前記無線デバイスが前記ネットワークスライスのうちのどれに接続されるかを示す、維持することと、
前記無線デバイスが前記ネットワークスライスのうちの１つへの接続を追加または削除したという指示を受信することと、
前記受信された指示に基づいて、前記第１のネットワークノードによって維持される前記スライス接続情報を更新することと
をさらに含む、請求項１から１２のいずれか一項に記載の方法。
【請求項１４】
前記複数のネットワークスライスが第１のネットワークスライスを備え、前記方法は、
前記無線デバイスのための一貫したネットワークスライス利用可能性をもつページングエリアを作成すること（Ｓ１３３０）であって、前記ページングエリアが、前記ネットワークスライス利用可能性に基づいて、前記第１のネットワークスライスをサポートする前記ネイバリングネットワークノードのうちの１つまたは複数を備える、作成すること（Ｓ１３３０）と、
前記第１のネットワークスライスをサポートする前記ページングエリアの指示を前記無線デバイスに通信すること（Ｓ１３４０）と
をさらに含む、請求項１から１３のいずれか一項に記載の方法。
【請求項１５】
前記無線デバイスが前記ネットワークスライスのうちの１つへの接続を追加または削除したと決定したことに応答して、前記無線デバイスのための一貫したネットワークスライス利用可能性をもつ新しいページングエリアを作成することと、
前記新しいページングエリアを前記無線デバイスに通信することと
をさらに含む、請求項１４に記載の方法。
【請求項１６】
スライスコネクティビティを管理することが、前記無線デバイスと、前記無線デバイスに関与するハンドオーバプロシージャのために選択されたネイバリングネットワークノードによってサポートされないネットワークスライスとの間の接続の削除を開始することをさらに含む、請求項１から１５のいずれか一項に記載の方法。
【請求項１７】
前記スライスコネクティビティを管理することは、
前記無線デバイスから、第１のネットワークスライスに接続したいという要求を受信することと、
前記第１のネットワークノードが前記第１のネットワークスライスをサポートしないと決定したことに応答して、前記要求を拒否し、前記無線デバイスを別のネットワークスライスにリダイレクトすることと
をさらに含む、請求項１から１６のいずれか一項に記載の方法。
【請求項１８】
前記スライスコネクティビティを管理することは、
前記無線デバイスから、第１のネットワークスライスに接続したいという要求を受信することと、
前記無線デバイスが、前記第１のネットワークスライスをサポートしないネイバリングネットワークノードに移動する可能性に基づいて、前記要求を拒否し、前記無線デバイスを別のネットワークスライスにリダイレクトすることと
をさらに含む、請求項１から１７のいずれか一項に記載の方法。
【請求項１９】
前記第１のネットワークノードおよび／または前記ネイバリングネットワークノードのうちの１つまたは複数の前記ネットワークスライス利用可能性に関連付けられたパラメータをブロードキャストすることをさらに含む、請求項１から１８のいずれか一項に記載の方法。
【請求項２０】
前記第１のネットワークノードのネットワークスライス利用可能性を前記ネイバリングネットワークノードのうちの１つまたは複数に通信することをさらに含む、請求項１から１９のいずれか一項に記載の方法。
【請求項２１】
前記方法がコアネットワークノードにおいて実施される、請求項１から２０のいずれか一項に記載の方法。
【請求項２２】
前記方法が無線ネットワークノードにおいて実施される、請求項１から２１のいずれか一項に記載の方法。
【請求項２３】
無線デバイスにおける方法であって、
ネットワークノードから、前記ネットワークノードを含むネットワークにおけるネットワークスライス利用可能性に関連付けられた情報を受信すること（Ｓ１４１０）と、
第１のネットワークスライスへのアクセスについてのコネクティビティ要求を前記ネットワークノードに通信すること（Ｓ１４２０）であって、前記第１のネットワークスライスが、前記ネットワークノードから受信されたネットワークスライス利用可能性に関連付けられた前記情報に少なくとも部分的に基づいて、前記無線デバイスによって選択される、通信すること（Ｓ１４２０）と
含む、方法。
【請求項２４】
ネットワークスライス利用可能性に関連付けられた前記情報の少なくとも一部分が、前記ネットワークノードからのブロードキャスト中で受信される、請求項２３に記載の方法。
【請求項２５】
ネットワークスライス利用可能性に関連付けられた前記情報の少なくとも一部分が、前記ネットワークノードからの前記ブロードキャストを受信することより前に前記ネットワークから受信されたネットワーク設定情報に基づく、請求項２３または２４に記載の方法。
【請求項２６】
ネットワークスライス利用可能性に関連付けられた前記情報に基づいて、ネットワークスライス接続のセットアップを開始することをさらに含む、請求項２３から２５のいずれか一項に記載の方法。
【請求項２７】
ネットワークスライス利用可能性に関連付けられた前記情報に基づいて、ネットワークスライス接続の削除を開始することをさらに含む、請求項２３から２６のいずれか一項に記載の方法。
【請求項２８】
ネットワークスライス利用可能性に関連付けられた前記情報に基づいて、セル、周波数、または無線アクセス技術のうちの１つまたは複数の再選択を実施することをさらに含む、請求項２３から２７のいずれか一項に記載の方法。
【請求項２９】
再選択を実施することは、
前記無線デバイスがその上で動作している現在のセル、周波数、または無線アクセス技術（ＲＡＴ）が前記第１のネットワークスライスをサポートしないと決定することと、
前記第１のネットワークスライスをサポートする新しいセル、周波数、またはＲＡＴを選択することと、
前記新しいセル、周波数、またはＲＡＴを通して前記第１のネットワークスライスにアクセスすることと
を含む、請求項２８に記載の方法。
【請求項３０】
前記第１のネットワークスライスを示すスライス識別子を通信することと、
前記スライス識別子によって示された前記第１のネットワークスライスをサポートするコアネットワークノードにアクセスすることと
をさらに含む、請求項２３から２９のいずれか一項に記載の方法。
【請求項３１】
第２のネットワークノードへのハンドオーバプロシージャの開始を受信することであって、前記第２のネットワークノードが前記第１のネットワークスライスをサポートする、受信することと、
第２のネットワークノードへのハンドオーバを完了することと、
前記第２のネットワークノードを通して前記第１のネットワークスライスにアクセスすることと
をさらに含む、請求項２３から３０のいずれか一項に記載の方法。
【請求項３２】
アイドル状態からアクティブ状態への状態遷移を実施するとき、ネットワークスライス利用可能性に関連付けられた前記情報を別のネットワークノードに通信することをさらに含む、請求項２２から３１のいずれか一項に記載の方法。
【請求項３３】
前記無線デバイスのための一貫したネットワークスライス利用可能性をもつページングエリアを受信することであって、前記ページングエリアが、１つまたは複数のネイバリングネットワークノードのネットワークスライス利用可能性に基づいて、前記第１のネットワークスライスをサポートする前記１つまたは複数のネイバリングネットワークノードを含む、受信することと、
前記無線デバイスが前記ページングエリア内にあるとき、モビリティシグナリングの生成を妨げることと
をさらに含む、請求項２３から３２のいずれか一項に記載の方法。
【請求項３４】
前記無線デバイスが前記受信されたページングエリア外に移動するとき、前記無線デバイスからエリア更新シグナリングを通信することと、
前記無線デバイスのための一貫したネットワークスライス利用可能性をもつ新しいページングエリアを受信することと
をさらに含む、請求項３３に記載の方法。
【請求項３５】
前記無線デバイスのネットワークスライス接続情報を前記ネットワークノードに通信することと、
前記ネットワークノードからハンドオーバシグナリングを受信することであって、前記ハンドオーバシグナリングが、ネイバリングネットワークノードの前記ネットワークスライス利用可能性と前記無線デバイスの前記ネットワークスライス接続情報とに基づくハンドオーバ候補を含む、受信することと、
前記ハンドオーバ候補に接続することと
をさらに含む、請求項２３から３４のいずれか一項に記載の方法。
【請求項３６】
前記ハンドオーバ候補が前記第１のネットワークスライスをサポートせず、前記方法が、第２のネットワークスライスに接続することをさらに含む、請求項３５に記載の方法。
【請求項３７】
命令を記憶するように動作可能なストレージ（２０３）と、前記命令を実行するように動作可能なプロセッサ（２０２）とを備えるネットワークノード（２００）であって、それにより、前記ネットワークノードは、
１つまたは複数のネイバリングネットワークノードに関連付けられたネットワークスライス利用可能性を取得することであって、前記ネットワークスライス利用可能性は、複数のネットワークスライスのうちのどれが前記１つまたは複数のネイバリングネットワークノードの各々によってサポートされるかを示す、取得することと、
前記１つまたは複数のネイバリングネットワークノードの前記ネットワークスライス利用可能性に基づいて無線デバイスのスライスコネクティビティを管理することと、
を行うように動作可能である、ネットワークノード（２００）。
【請求項３８】
前記ネットワークスライスの各々が、他のネットワークスライスのネットワーク機能とは異なる特性を有するそれぞれのネットワーク機能をサポートするそれぞれの論理ネットワークを備える、請求項３７に記載のネットワークノード。
【請求項３９】
前記ネットワークスライスの各々が、他のネットワークスライスによってサポートされる事業活動に依存しないそれぞれの事業活動をサポートする、請求項３７または３８に記載のネットワークノード。
【請求項４０】
前記１つまたは複数のネイバリングノードが複数のコアネットワークノードを含み、
前記無線デバイスの前記スライスコネクティビティを管理するように動作可能な前記ネットワークノードは、
前記無線デバイスが前記ネットワークスライスのうちのどれを使用することを要求するかを示すスライス識別子を受信することと、
前記ネットワークスライス利用可能性に基づいて前記コアネットワークノードのうちの１つまたは複数を選択することであって、前記選択されたコアネットワークノードが、前記スライス識別子によって示された前記ネットワークスライスをサポートする、選択することと、
前記１つまたは複数の選択されたコアネットワークノードへのアクセスを前記無線デバイスに与えることと
を行うように動作可能な前記ネットワークノードを含む、請求項３７から３９のいずれか一項に記載のネットワークノード。
【請求項４１】
前記スライス識別子は、前記無線デバイスが使用することを要求する前記ネットワークスライスの各々について別個のスライス識別子を含む、請求項４０に記載のネットワークノード。
【請求項４２】
前記１つまたは複数のネイバリングノードが複数の無線ネットワークノードを含み、前記無線デバイスの前記スライスコネクティビティを管理するように動作可能な前記ネットワークノードは、
前記無線デバイスが前記ネットワークスライスのうちのどれに接続されるかを決定することと、
前記ネットワークスライス利用可能性に基づいて、ハンドオーバのために前記無線ネットワークノードのうちの１つを選択することであって、前記選択された無線ネットワークノードは、前記無線デバイスが接続された（１つまたは複数の）前記ネットワークスライスをサポートする、選択することと、
前記選択された無線ネットワークノードへの前記無線デバイスのハンドオーバを開始することと
を行うように動作可能な前記ネットワークノードを含む、請求項３７から４１のいずれか一項に記載のネットワークノード。
【請求項４３】
前記複数のネットワークスライスが第１のネットワークスライスを含み、前記無線デバイスの前記スライスコネクティビティを管理するように動作可能な前記ネットワークノードは、
前記ネットワークスライス利用可能性に基づいて、前記無線デバイスが、前記第１のネットワークスライスをサポートしない無線アクセスノードに接続されたと決定したことに応答して、前記無線デバイスと前記第１のネットワークスライスとの間の接続を削除すること
を行うように動作可能な前記ネットワークノードを含む、請求項３７から４２のいずれか一項に記載のネットワークノード。
【請求項４４】
前記複数のネットワークスライスが第１のネットワークスライスを含み、前記無線デバイスの前記スライスコネクティビティを管理するように動作可能な前記ネットワークノードは、
前記ネットワークスライス利用可能性に基づいて、前記無線デバイスが、前記第１のネットワークスライスをサポートする無線アクセスノードに接続されたと決定したことに応答して、前記無線デバイスと前記第１のネットワークスライスとの間の接続を追加すること
を行うように動作可能な前記ネットワークノードを含む、請求項３７から４３のいずれか一項に記載のネットワークノード。
【請求項４５】
前記複数のネットワークスライスが第１のネットワークスライスを含み、前記無線デバイスの前記スライスコネクティビティを管理するように動作可能な前記ネットワークノードは、
前記無線デバイスが、前記第１のネットワークスライスをサポートしない無線アクセスノードに接続されたと決定したことに応答して、前記無線デバイスを前記第１のネットワークスライスに接続したいという要求を拒否すること
を行うように動作可能な前記ネットワークノードを含む、請求項３７から４４のいずれか一項に記載のネットワークノード。
【請求項４６】
前記ネットワークノードが、前記第１のネットワークノードと前記ネイバリングネットワークノードのうちの少なくとも１つとの間の初期接続セットアップ中に前記ネットワークスライス利用可能性の少なくとも一部分を取得するように動作可能である、請求項３７から４５のいずれか一項に記載のネットワークノード。
【請求項４７】
前記ネットワークノードが、前記第１のネットワークノードと前記ネイバリングネットワークノードのうちの１つとの間のハンドオーバシグナリングから前記ネットワークスライス利用可能性の少なくとも一部分を取得するように動作可能である、請求項３７から４６のいずれか一項に記載のネットワークノード。
【請求項４８】
前記ネットワークノードは、前記無線デバイスがアイドル状態からアクティブ状態への状態遷移を実施したことに応答して、前記ネットワークスライス利用可能性の少なくとも一部分を取得するように動作可能である、請求項３７から４７のいずれか一項に記載のネットワークノード。
【請求項４９】
前記ネットワークノードは、
前記第１のネットワークノードにおいてスライス接続情報を維持することであって、前記スライス接続情報は、前記無線デバイスが前記ネットワークスライスのうちのどれに接続されるかを示す、維持することと、
前記無線デバイスが前記ネットワークスライスのうちの１つへの接続を追加または削除したという指示を受信することと、
前記受信された指示に基づいて、前記第１のネットワークノードによって維持される前記スライス接続情報を更新することと
を行うようにさらに動作可能である、請求項３７から４８のいずれか一項に記載のネットワークノード。
【請求項５０】
前記複数のネットワークスライスが第１のネットワークスライスを含み、それにより、前記ネットワークノードは、
前記無線デバイスのための一貫したネットワークスライス利用可能性をもつページングエリアを作成することであって、前記ページングエリアが、前記ネットワークスライス利用可能性に基づいて、前記第１のネットワークスライスをサポートする前記ネイバリングネットワークノードのうちの１つまたは複数を備える、作成することと、
前記第１のネットワークスライスをサポートする前記ページングエリアの指示を前記無線デバイスに通信することと
を行うようにさらに動作可能である、請求項３７から４９のいずれか一項に記載のネットワークノード。
【請求項５１】
前記ネットワークノードは、
前記無線デバイスが前記ネットワークスライスのうちの１つへの接続を追加または削除したと決定したことに応答して、前記無線デバイスのための一貫したネットワークスライス利用可能性をもつ新しいページングエリアを作成することと、
前記新しいページングエリアを前記無線デバイスに通信することと
を行うようにさらに動作可能である、請求項５０に記載のネットワークノード。
【請求項５２】
前記無線デバイスの前記スライスコネクティビティを管理するように動作可能な前記ネットワークノードが、前記無線デバイスと、前記無線デバイスに関与するハンドオーバプロシージャのために選択されたネイバリングネットワークノードによってサポートされないネットワークスライスとの間の接続の削除を開始するように動作可能な前記ネットワークノードを含む、請求項３７から５１のいずれか一項に記載のネットワークノード。
【請求項５３】
前記無線デバイスの前記スライスコネクティビティを管理するように動作可能な前記ネットワークノードは、
前記無線デバイスから、第１のネットワークスライスに接続したいという要求を受信することと、
前記第１のネットワークノードが前記第１のネットワークスライスをサポートしないと決定したことに応答して、前記要求を拒否し、前記無線デバイスを別のネットワークスライスにリダイレクトすることと
を行うように動作可能な前記ネットワークノードを含む、請求項３７から５２のいずれか一項に記載のネットワークノード。
【請求項５４】
前記無線デバイスの前記スライスコネクティビティを管理するように動作可能な前記ネットワークノードは、
前記無線デバイスから、第１のネットワークスライスに接続したいという要求を受信することと、
前記無線デバイスが、前記第１のネットワークスライスをサポートしないネイバリングネットワークノードに移動する可能性に基づいて、前記要求を拒否し、前記無線デバイスを別のネットワークスライスにリダイレクトすることと
を行うように動作可能な前記ネットワークノードを含む、請求項３７から５３のいずれか一項に記載のネットワークノード。
【請求項５５】
前記ネットワークノードが、前記第１のネットワークノードおよび／または前記ネイバリングネットワークノードのうちの１つまたは複数の前記ネットワークスライス利用可能性に関連付けられたパラメータをブロードキャストするようにさらに動作可能である、請求項３７から５４のいずれか一項に記載のネットワークノード。
【請求項５６】
前記ネットワークノードが、前記第１のネットワークノードのネットワークスライス利用可能性を前記ネイバリングネットワークノードのうちの１つまたは複数に通信するようにさらに動作可能である、請求項３７から５５のいずれか一項に記載のネットワークノード。
【請求項５７】
前記ネットワークノードがコアネットワークノードである、請求項３７から５６のいずれか一項に記載のネットワークノード。
【請求項５８】
前記ネットワークノードが無線ネットワークノードである、請求項３７から５７のいずれか一項に記載のネットワークノード。
【請求項５９】
命令を記憶するように動作可能なストレージ（２１３、３３０）と、前記命令を実行するように動作可能な処理回路要素（２１２、３１５）とを備える無線デバイス（２１１、３００）であって、それにより、前記無線デバイスは、
ネットワークノードから、前記ネットワークノードを含むネットワークにおけるネットワークスライス利用可能性に関連付けられた情報を受信することと、
第１のネットワークスライスへのアクセスについてのコネクティビティ要求を前記ネットワークノードに通信することであって、前記第１のネットワークスライスが、前記ネットワークノードから受信されたネットワークスライス利用可能性に関連付けられた前記情報に少なくとも部分的に基づいて、前記無線デバイスによって選択される、通信することと
を行うように動作可能である、無線デバイス（２１１、３００）。
【請求項６０】
ネットワークスライス利用可能性に関連付けられた前記情報の少なくとも一部分が、前記ネットワークノードからのブロードキャスト中で受信される、請求項５９に記載の無線デバイス。
【請求項６１】
ネットワークスライス利用可能性に関連付けられた前記情報の少なくとも一部分が、前記ネットワークノードからの前記ブロードキャストを受信することより前に前記ネットワークから受信されたネットワーク設定情報に基づく、請求項５９または６０に記載の無線デバイス。
【請求項６２】
前記無線デバイスが、ネットワークスライス利用可能性に関連付けられた前記情報に基づいて、ネットワークスライス接続のセットアップを開始するようにさらに動作可能である、請求項５９から６１のいずれか一項に記載の無線デバイス。
【請求項６３】
前記無線デバイスが、ネットワークスライス利用可能性に関連付けられた前記情報に基づいて、ネットワークスライス接続の削除を開始するようにさらに動作可能である、請求項５９から６２のいずれか一項に記載の無線デバイス。
【請求項６４】
前記無線デバイスが、ネットワークスライス利用可能性に関連付けられた前記情報に基づいて、セル、周波数、または無線アクセス技術のうちの１つまたは複数の再選択を実施するようにさらに動作可能である、請求項５９から６３のいずれか一項に記載の無線デバイス。
【請求項６５】
再選択を実施するように動作可能な前記無線デバイスは、
前記無線デバイスがその上で動作している現在のセル、周波数、または無線アクセス技術（ＲＡＴ）が前記第１のネットワークスライスをサポートしないと決定することと、
前記第１のネットワークスライスをサポートする新しいセル、周波数、またはＲＡＴを選択することと、
前記新しいセル、周波数、またはＲＡＴを通して前記第１のネットワークスライスにアクセスすることと
を行うように動作可能な前記無線デバイスを含む、請求項６４に記載の無線デバイス。
【請求項６６】
前記無線デバイスは、
前記第１のネットワークスライスを示すスライス識別子を通信することと、
前記スライス識別子によって示された前記第１のネットワークスライスをサポートするコアネットワークノードにアクセスすることと
を行うようにさらに動作可能である、請求項５９から６４のいずれか一項に記載の無線デバイス。
【請求項６７】
前記無線デバイスは、
第２のネットワークノードへのハンドオーバプロシージャの開始を受信することであって、前記第２のネットワークノードが前記第１のネットワークスライスをサポートする、受信することと、
第２のネットワークノードへのハンドオーバを完了することと、
前記第２のネットワークノードを通して前記第１のネットワークスライスにアクセスすることと
を行うようにさらに動作可能である、請求項５９から６６のいずれか一項に記載の無線デバイス。
【請求項６８】
前記無線デバイスが、アイドル状態からアクティブ状態への状態遷移を実施するとき、ネットワークスライス利用可能性に関連付けられた前記情報を別のネットワークノードに通信するようにさらに動作可能である、請求項５９から６７のいずれか一項に記載の無線デバイス。
【請求項６９】
前記無線デバイスは、
前記無線デバイスのための一貫したネットワークスライス利用可能性をもつページングエリアを受信することであって、前記ページングエリアが、前記ネットワークノードに対する１つまたは複数のネイバリングネットワークノードのネットワークスライス利用可能性に基づいて、前記第１のネットワークスライスをサポートする前記ネイバリングネットワークノードを含む、受信することと、
前記無線デバイスが前記ページングエリア内にあるとき、モビリティシグナリングの生成を妨げることと
を行うようにさらに動作可能である、請求項５９から６８のいずれか一項に記載の無線デバイス。
【請求項７０】
前記無線デバイスは、
前記無線デバイスが前記受信されたページングエリア外に移動するとき、前記無線デバイスからエリア更新シグナリングを通信することと、
前記無線デバイスのための一貫したネットワークスライス利用可能性をもつ新しいページングエリアを受信することと
を行うようにさらに動作可能である、請求項６９に記載の無線デバイス。
【請求項７１】
前記無線デバイスは、
前記無線デバイスのネットワークスライス接続情報を前記ネットワークノードに通信することと、
前記ネットワークノードからハンドオーバシグナリングを受信することであって、前記ハンドオーバシグナリングが、ネイバリングネットワークノードの前記ネットワークスライス利用可能性と前記無線デバイスの前記ネットワークスライス接続情報とに基づくハンドオーバ候補を含む、受信することと、
前記ハンドオーバ候補に接続することと
を行うようにさらに動作可能である、請求項５９から７０のいずれか一項に記載の無線デバイス。
【請求項７２】
前記ハンドオーバ候補が前記第１のネットワークスライスをサポートせず、それにより、前記無線デバイスが、第２のネットワークスライスに接続するようにさらに動作可能である、請求項７１に記載の無線デバイス。
【請求項７３】
コンピュータ可読プログラムコードを記憶する非一時的コンピュータ可読媒体を備えるコンピュータプログラム製品であって、前記コンピュータ可読プログラムコードは、
１つまたは複数のネイバリングネットワークノードに関連付けられたネットワークスライス利用可能性を取得する（Ｓ１３１０）ためのプログラムコードであって、前記ネットワークスライス利用可能性は、複数のネットワークスライスのうちのどれが前記１つまたは複数のネイバリングネットワークノードの各々によってサポートされるかを示す、取得する（Ｓ１３１０）ためのプログラムコードと、
前記１つまたは複数のネイバリングネットワークノードの前記ネットワークスライス利用可能性に基づいて無線デバイスのスライスコネクティビティを管理する（Ｓ１３２０）ためのプログラムコードと、
を含む、コンピュータプログラム製品。
【請求項７４】
コンピュータ可読プログラムコードを記憶する非一時的コンピュータ可読媒体を備えるコンピュータプログラム製品であって、前記コンピュータ可読プログラムコードは、
ネットワークノードから、前記ネットワークノードを含むネットワークにおけるネットワークスライス利用可能性に関連付けられた情報を受信する（Ｓ１４１０）ためのプログラムコードと、
第１のネットワークスライスへのアクセスについてのコネクティビティ要求を前記ネットワークノードに通信する（Ｓ１４２０）ためのプログラムコードであって、前記第１のネットワークスライスが、前記ネットワークノードから受信されたネットワークスライス利用可能性に関連付けられた前記情報に少なくとも部分的に基づいて、前記無線デバイスによって選択される、通信する（Ｓ１４２０）ためのプログラムコードと
含む、コンピュータプログラム製品。
【発明の詳細な説明】
【技術分野】
【０００１】
本開示は、一般に、無線通信に関し、より詳細には、無線ネットワークにおける限られたネットワークスライス利用可能性をハンドリングすることに関する。
【背景技術】
【０００２】
ネットワークスライシングは、ＬＴＥ発展（ＬＴＥ  Ｅｖｏｌｕｔｉｏｎ）と（本明細書ではＮＲと呼ばれる）新しい５Ｇ  ＲＡＴの両方に適用される新しい概念である。ネットワークスライシングを導入するための重要な要因は、用途拡大、すなわち、たとえば、異なるネットワーク特性（性能、セキュリティ、ロバストネス、および複雑さ）をもつコネクティビティサービスを提供することによって、他の産業をサーブするセルラーオペレータの能力を改善することである。
【０００３】
ネットワークにおけるネットワークスライシングは、ネットワークの論理的に分離されたパーティションを作成し、異なる用途に対処する。これらの「ネットワークスライス」は、ネットワークスライスがネットワークスライス自体のネットワークと見なされ、管理され得る程度に論理的に分離される。ネットワークスライスは、異なるスライステナント、すなわち、ネットワークスライスを介して使用されるエンドにサービスを与えるエンティティに関連付けられ得る。スライステナントの例は、たとえば、専用ネットワークスライスを介して音声サービスを与える軍隊、たとえば、専用ネットワークスライス介して車両診断サービスを与える車両製造業者などであり得る。また、サービスレベルアグリーメント（ＳＬＡ）を各ネットワークスライスに関連付けることは一般的である。そのようなＳＬＡは、ネットワークスライス内で与えられる処理サービスが従うべきであることを示す。
【０００４】
対処されていない問題は、ネットワークにおける限られたスライス利用可能性に関係する。所与のネットワークスライスが、セルラーネットワークのすべてのセル中でサポートされるとは限らないか、またはすべてのセル中のすべての無線デバイス／加入者のためにサポートされるとは限らない場合に、限られたスライス利用可能性が生じ得る。これらの場合、無線が異なるスライスサポートをもつエリア中に、またはそのエリア外に移動しているとき、問題が生じることになる。また、無線デバイスが接続することを希望するかまたはすでに登録されたスライスが、そのエリア中で利用可能でない場合に、無線デバイスが初めてネットワークに接続（または再接続）しているとき、問題が生じることになる。したがって、ネットワークにおける限られたスライス利用可能性をハンドリングするためのいくつかの実施形態が、本明細書で提案される。
【発明の概要】
【０００５】
いくつかの実施形態によれば、ネットワークノードにおいて使用するための方法が開示される。本方法は、１つまたは複数のネイバリングネットワークノードに関連付けられたネットワークスライス利用可能性を取得することを含む。ネットワークスライス利用可能性は、複数のネットワークスライスのうちのどれが１つまたは複数のネイバリングネットワークノードの各々によってサポートされるかを示す。本方法は、１つまたは複数のネイバリングネットワークノードのネットワークスライス利用可能性に基づいて無線デバイスのスライスコネクティビティを管理することをさらに含む。
【０００６】
いくつかの実施形態によれば、ネットワークノードは、命令を記憶するように動作可能なストレージと、命令を実行するように動作可能な処理回路要素とを備える。ネットワークノードは、１つまたは複数のネイバリングネットワークノードに関連付けられたネットワークスライス利用可能性を取得するように動作可能である。ネットワークスライス利用可能性は、複数のネットワークスライスのうちのどれが１つまたは複数のネイバリングネットワークノードの各々によってサポートされるかを示す。ネットワークノードは、１つまたは複数のネイバリングネットワークノードのネットワークスライス利用可能性に基づいて無線デバイスのスライスコネクティビティを管理するようにさらに動作可能である。
【０００７】
いくつかの実施形態によれば、コンピュータプログラム製品が、コンピュータ可読プログラムコードを記憶する非一時的コンピュータ可読媒体を備える。コンピュータ可読プログラムコードは、１つまたは複数のネイバリングネットワークノードに関連付けられたネットワークスライス利用可能性を取得するためのプログラムコードを含む。ネットワークスライス利用可能性は、複数のネットワークスライスのうちのどれが１つまたは複数のネイバリングネットワークノードの各々によってサポートされるかを示す。コンピュータ可読プログラムコードは、１つまたは複数のネイバリングネットワークノードのネットワークスライス利用可能性に基づいて無線デバイスのスライスコネクティビティを管理するためのプログラムコードをさらに含む。
【０００８】
上記で説明された方法、ネットワークノード、および／またはコンピュータプログラムコードは、以下のうちの任意の１つまたは複数を含む、様々な他の特徴を含み得る。
【０００９】
いくつかの実施形態では、ネットワークスライスの各々は、他のネットワークスライスのネットワーク機能とは異なる特性を有するそれぞれのネットワーク機能をサポートするそれぞれの論理ネットワークを備える。
【００１０】
いくつかの実施形態では、ネットワークスライスの各々は、他のネットワークスライスによってサポートされる事業活動に依存しないそれぞれの事業活動をサポートする。
【００１１】
いくつかの実施形態では、１つまたは複数のネイバリングノードは複数のコアネットワークノードを含み、本方法／無線デバイス／コンピュータプログラム製品は、無線デバイスがネットワークスライスのうちのどれを使用することを要求するかを示すスライス識別子を受信する。本方法／無線デバイス／コンピュータプログラム製品は、さらに、ネットワークスライス利用可能性に基づいてコアネットワークノードのうちの１つを選択し、選択されたコアネットワークノードは、スライス識別子によって示されたネットワークスライスをサポートする。本方法／無線デバイス／コンピュータプログラム製品は、さらに、選択されたコアネットワークノードへのアクセスを無線デバイスに与える。
【００１２】
いくつかの実施形態では、１つまたは複数のネイバリングノードは複数の無線ネットワークノードを含み、本方法／無線デバイス／コンピュータプログラム製品は、無線デバイスがネットワークスライスのうちのどれに接続されるかを決定することによって、無線デバイスのスライスコネクティビティを管理する。本方法／無線デバイス／コンピュータプログラム製品は、さらに、ネットワークスライス利用可能性に基づいて、ハンドオーバのために無線ネットワークノードのうちの１つを選択することによって、無線デバイスのスライスコネクティビティを管理する。選択された無線ネットワークノードは、無線デバイスが接続された（１つまたは複数の）ネットワークスライスをサポートする。本方法／無線デバイス／コンピュータプログラム製品は、さらに、選択された無線ネットワークノードへの無線デバイスのハンドオーバを開始することによって、無線デバイスのスライスコネクティビティを管理する。
【００１３】
いくつかの実施形態では、複数のネットワークスライスは第１のネットワークスライスを備え、本方法／無線デバイス／コンピュータプログラム製品は、ネットワークスライス利用可能性に基づいて、無線デバイスが、第１のネットワークスライスをサポートしない無線アクセスノードに接続されたと決定したことに応答して、無線デバイスと第１のネットワークスライスとの間の接続を削除することによって、無線デバイスのスライスコネクティビティを管理する。
【００１４】
いくつかの実施形態では、複数のネットワークスライスは第１のネットワークスライスを備え、本方法／無線デバイス／コンピュータプログラム製品は、ネットワークスライス利用可能性に基づいて、無線デバイスが、第１のネットワークスライスをサポートする無線アクセスノードに接続されたと決定したことに応答して、無線デバイスと第１のネットワークスライスとの間の接続を追加することによって、無線デバイスのスライスコネクティビティを管理する。
【００１５】
いくつかの実施形態では、複数のネットワークスライスは第１のネットワークスライスを備え、本方法／無線デバイス／コンピュータプログラム製品は、無線デバイスが、第１のネットワークスライスをサポートしない無線アクセスノードに接続されたと決定したことに応答して、無線デバイスを第１のネットワークスライスに接続したいという要求を拒否することによって、無線デバイスのスライスコネクティビティを管理する。
【００１６】
いくつかの実施形態では、ネットワークスライス利用可能性の少なくとも一部分は、第１のネットワークノードとネイバリングネットワークノードのうちの少なくとも１つとの間の初期接続セットアップ中に取得される。
【００１７】
いくつかの実施形態では、ネットワークスライス利用可能性の少なくとも一部分は、第１のネットワークノードとネイバリングネットワークノードのうちの１つとの間のハンドオーバシグナリングから取得される。
【００１８】
いくつかの実施形態では、ネットワークスライス利用可能性の少なくとも一部分は、無線デバイスがアイドル状態からアクティブ状態への状態遷移を実施したことに応答して取得される。
【００１９】
いくつかの実施形態では、本方法／無線デバイス／コンピュータプログラム製品は、第１のネットワークノードにおいてスライス接続情報を維持する。スライス接続情報は、無線デバイスがネットワークスライスのうちのどれに接続されるかを示す。本方法／無線デバイス／コンピュータプログラムはまた、無線デバイスがネットワークスライスのうちの１つへの接続を追加または削除したという指示を受信する。本方法／無線デバイス／コンピュータプログラムはまた、受信された指示に基づいて、第１のネットワークノードによって維持されるスライス接続情報を更新する。
【００２０】
いくつかの実施形態では、複数のネットワークスライスは第１のネットワークスライスを備え、本方法／無線デバイス／コンピュータプログラムは、無線デバイスのための一貫したネットワークスライス利用可能性をもつページングエリアを作成する。ページングエリアは、ネットワークスライス利用可能性に基づいて、第１のネットワークスライスをサポートするネイバリングネットワークノードのうちの１つまたは複数を備える。本方法／無線デバイス／コンピュータプログラムはまた、第１のネットワークスライスをサポートするページングエリアの指示を無線デバイスに通信する。
【００２１】
いくつかの実施形態では、方法／無線デバイス／コンピュータプログラムは、無線デバイスがネットワークスライスのうちの１つへの接続を追加または削除したと決定したことに応答して、無線デバイスのための一貫したネットワークスライス利用可能性をもつ新しいページングエリアを作成する。本方法／無線デバイス／コンピュータプログラムはまた、新しいページングエリアを無線デバイスに通信する。
【００２２】
いくつかの実施形態では、方法／無線デバイス／コンピュータプログラムは、無線デバイスと、無線デバイスに関与するハンドオーバプロシージャのために選択されたネイバリングネットワークノードによってサポートされないネットワークスライスとの間の接続の削除を開始することによって、スライスコネクティビティを管理する。
【００２３】
いくつかの実施形態では、本方法／無線デバイス／コンピュータプログラムは、無線デバイスから、第１のネットワークスライスに接続したいという要求を受信することによって、スライスコネクティビティを管理する。本方法／無線デバイス／コンピュータプログラムは、さらに、第１のネットワークノードが第１のネットワークスライスをサポートしないと決定したことに応答して、要求を拒否し、無線デバイスを別のネットワークスライスにリダイレクトすることによって、スライスコネクティビティを管理する。
【００２４】
いくつかの実施形態では、本方法／無線デバイス／コンピュータプログラムは、無線デバイスから、第１のネットワークスライスに接続したいという要求を受信することによって、スライスコネクティビティを管理する。本方法／無線デバイス／コンピュータプログラムは、さらに、無線デバイスが、第１のネットワークスライスをサポートしないネイバリングネットワークノードに移動する可能性に基づいて、要求を拒否し、無線デバイスを別のネットワークスライスにリダイレクトすることによって、スライスコネクティビティを管理する。
【００２５】
いくつかの実施形態では、本方法／無線デバイス／コンピュータプログラムは、第１のネットワークノードおよび／またはネイバリングネットワークノードのうちの１つまたは複数のネットワークスライス利用可能性に関連付けられたパラメータをブロードキャストする。
【００２６】
いくつかの実施形態では、方法／無線デバイス／コンピュータプログラムは、第１のネットワークノードのネットワークスライス利用可能性をネイバリングネットワークノードのうちの１つまたは複数に通信する。
【００２７】
いくつかの実施形態では、ネットワークノードはコアネットワークノードである。
【００２８】
いくつかの実施形態では、ネットワークノードは無線ネットワークノードである。
【００２９】
いくつかの実施形態によれば、無線デバイスにおいて使用するための方法が開示される。本方法は、ネットワークノードから、ネットワークノードを含むネットワークにおけるネットワークスライス利用可能性に関連付けられた情報を受信することを含む。本方法は、第１のネットワークスライスへのアクセスについてのコネクティビティ要求をネットワークノードに通信することをさらに含む。第１のネットワークスライスは、ネットワークノードから受信されたネットワークスライス利用可能性に関連付けられた情報に少なくとも部分的に基づいて、無線デバイスによって選択される。
【００３０】
いくつかの実施形態によれば、無線デバイスは、命令を記憶するように動作可能なストレージと、命令を実行するように動作可能なプロセッサとを備える。無線デバイスは、ネットワークノードから、ネットワークノードを含むネットワークにおけるネットワークスライス利用可能性に関連付けられた情報を受信するように動作可能である。無線デバイスは、第１のネットワークスライスへのアクセスについてのコネクティビティ要求をネットワークノードに通信するようにさらに動作可能である。第１のネットワークスライスは、ネットワークノードから受信されたネットワークスライス利用可能性に関連付けられた情報に少なくとも部分的に基づいて、無線デバイスによって選択される。
【００３１】
いくつかの実施形態によれば、コンピュータプログラム製品が、コンピュータ可読プログラムコードを記憶する非一時的コンピュータ可読媒体を備える。コンピュータ可読プログラムコードは、ネットワークノードから、ネットワークノードを含むネットワークにおけるネットワークスライス利用可能性に関連付けられた情報を受信するためのプログラムコードを含む。コンピュータ可読プログラムコードは、第１のネットワークスライスへのアクセスについてのコネクティビティ要求をネットワークノードに通信するためのプログラムコードをさらに含む。第１のネットワークスライスは、ネットワークノードから受信されたネットワークスライス利用可能性に関連付けられた情報に少なくとも部分的に基づいて、無線デバイスによって選択される。
【００３２】
上記で説明された方法、無線デバイス、および／またはコンピュータプログラムコードは、以下のうちの任意の１つまたは複数を含む、様々な他の特徴を含み得る。
【００３３】
いくつかの実施形態では、ネットワークスライス利用可能性に関連付けられた情報の少なくとも一部分は、ネットワークノードからのブロードキャスト中で受信される。
【００３４】
いくつかの実施形態では、ネットワークスライス利用可能性に関連付けられた情報の少なくとも一部分は、ネットワークノードからのブロードキャストを受信することより前にネットワークから受信されたネットワーク設定情報に基づく。
【００３５】
いくつかの実施形態では、本方法／無線デバイス／コンピュータプログラムは、ネットワークスライス利用可能性に関連付けられた情報に基づいて、ネットワークスライス接続のセットアップを開始する。
【００３６】
いくつかの実施形態では、本方法／無線デバイス／コンピュータプログラムは、ネットワークスライス利用可能性に関連付けられた情報に基づいて、ネットワークスライス接続の削除を開始する。
【００３７】
いくつかの実施形態では、本方法／無線デバイス／コンピュータプログラムは、ネットワークスライス利用可能性に関連付けられた情報に基づいて、セル、周波数、または無線アクセス技術のうちの１つまたは複数の再選択を実施する。
【００３８】
いくつかの実施形態では、本方法／無線デバイス／コンピュータプログラムは、無線デバイスがその上で動作している現在のセル、周波数、または無線アクセス技術（ＲＡＴ）が第１のネットワークスライスをサポートしないと決定することによって再選択を実施する。本方法／無線デバイス／コンピュータプログラムは、さらに、第１のネットワークスライスをサポートする新しいセル、周波数、またはＲＡＴを選択することによって再選択を実施する。本方法／無線デバイス／コンピュータプログラムは、さらに、新しいセル、周波数、またはＲＡＴを通して第１のネットワークスライスにアクセスすることによって再選択を実施する。
【００３９】
いくつかの実施形態では、本方法／無線デバイス／コンピュータプログラムは、第１のネットワークスライスを示すスライス識別子を通信する。  本方法／無線デバイス／コンピュータプログラムは、さらに、スライス識別子によって示された第１のネットワークスライスをサポートするコアネットワークノードにアクセスする。
【００４０】
いくつかの実施形態では、本方法／無線デバイス／コンピュータプログラムは、第２のネットワークノードへのハンドオーバプロシージャの開始を受信する。第２のネットワークノードは第１のネットワークスライスをサポートする。本方法／無線デバイス／コンピュータプログラムは、さらに、第２のネットワークノードへのハンドオーバを完了する。本方法／無線デバイス／コンピュータプログラムは、さらに、第２のネットワークノードを通して第１のネットワークスライスにアクセスする。
【００４１】
いくつかの実施形態では、本方法／無線デバイス／コンピュータプログラムは、アイドル状態からアクティブ状態への状態遷移を実施するとき、ネットワークスライス利用可能性に関連付けられた情報を別のネットワークノードに通信する。
【００４２】
いくつかの実施形態では、本方法／無線デバイス／コンピュータプログラムは、無線デバイスのための一貫したネットワークスライス利用可能性をもつページングエリアを受信する。ページングエリアは、ネットワークノードに対する１つまたは複数のネイバリングネットワークノードのネットワークスライス利用可能性に基づいて、第１のネットワークスライスをサポートするネイバリングネットワークノードを含む。本方法／無線デバイス／コンピュータプログラムは、さらに、無線デバイスがページングエリア内にあるとき、モビリティシグナリングの生成を妨げる。
【００４３】
いくつかの実施形態では、本方法／無線デバイス／コンピュータプログラムは、無線デバイスが、受信されたページングエリア外に移動するとき、無線デバイスからエリア更新シグナリングを通信する。本方法／無線デバイス／コンピュータプログラムは、さらに、無線デバイスのための一貫したネットワークスライス利用可能性をもつ新しいページングエリアを受信する。
【００４４】
いくつかの実施形態では、本方法／無線デバイス／コンピュータプログラムは、無線デバイスのネットワークスライス接続情報をネットワークノードに通信する。本方法／無線デバイス／コンピュータプログラムは、さらに、ネットワークノードからハンドオーバシグナリングを受信する。ハンドオーバシグナリングは、ネイバリングネットワークノードのネットワークスライス利用可能性と無線デバイスのネットワークスライス接続情報とに基づくハンドオーバ候補を含む。本方法／無線デバイス／コンピュータプログラムは、さらに、ハンドオーバ候補に接続する。
【００４５】
いくつかの実施形態では、ハンドオーバ候補は第１のネットワークスライスをサポートせず、本方法は、第２のネットワークスライスに接続することをさらに含む。
【００４６】
本開示のいくつかの実施形態は、１つまたは複数の技術的利点を与え得る。たとえば、ネットワークスライス利用可能性に基づいて無線デバイスのコネクティビティを管理することによって、限られたネットワークスライス利用可能性をもつネットワークにおけるネットワークスライスへの無線デバイスのコネクティビティを向上させる。別の例として、いくつかの実施形態は、無線デバイスが使用することを要求するネットワークスライスを示すスライス識別子を使用して、コネクティビティを有利に管理し得る。また別の例として、いくつかの実施形態は、無線デバイスのための一貫したネットワークスライス利用可能性をもつページングエリアを有利に作成し得る。このようにして、無線デバイスがページングエリア内で移動するとき、無線デバイスはモビリティシグナリングを不必要に生成しない。別の例として、いくつかの実施形態は、無線デバイスがネットワークスライスに接続されたとき、無線デバイスに有利に通知し得る。他の利点が当業者には容易に明らかであろう。いくつかの実施形態は、具陳された利点のいずれをも有しないか、利点のいくつかまたはすべてを有し得る。
【００４７】
開示される実施形態ならびにそれらの特徴および利点のより完全な理解のために、次に、添付の図面とともに、以下の説明が参照される。
【図面の簡単な説明】
【００４８】
【図１】いくつかの実施形態による、スライスをもつネットワークの一実施形態を示すブロック図である。
【図２】いくつかの実施形態による、無線デバイスと基地局とを備えるネットワークの一実施形態を示すブロック図である。
【図３】いくつかの実施形態による、例示的な無線デバイスのブロック概略図である。
【図４】いくつかの実施形態による、ネットワークアーキテクチャの一実施形態を示すブロック図である。
【図５】いくつかの実施形態による、ネットワークアーキテクチャの一実施形態を示すブロック図である。
【図６】いくつかの実施形態による、ネットワークノードにおける無線エリアネットワーク機能的分割の一実施形態を示すブロック図である。
【図７】いくつかの実施形態による、非ローミング参照アーキテクチャの一実施形態を示すブロック図である。
【図８】いくつかの実施形態による、複数のプロトコルデータユニットセッションをもつローカルおよび中央データネットワークへのコンカレントアクセスのために適用される非ローミング参照アーキテクチャの一実施形態を示すブロック図である。
【図９】いくつかの実施形態による、単一のプロトコルデータユニットセッションをもつローカルおよび中央データネットワークへのコンカレントアクセスのために適用される非ローミング参照アーキテクチャの一実施形態を示すブロック図である。
【図１０】いくつかの実施形態による、ホームルーティングシナリオ（ｈｏｍｅ  ｒｏｕｔｅｄ  ｓｃｅｎａｒｉｏ）における非ローミング参照アーキテクチャの一実施形態を示す図である。
【図１１】いくつかの実施形態による、ローカルブレークアウトシナリオ（ｌｏｃａｌ  ｂｒｅａｋｏｕｔ  ｓｃｅｎａｒｉｏ）における非ローミング参照アーキテクチャの一実施形態を示すブロック図である。
【図１２】いくつかの実施形態による、複数のネットワークスライスに接続されたユーザ機器の一実施形態を示すブロック図である。
【図１３】いくつかの実施形態による、ネットワークノードにおける方法の流れ図である。
【図１４】いくつかの実施形態による、無線デバイスにおける方法の流れ図である。
【発明を実施するための形態】
【００４９】
ネットワークスライシングのサポートは、次世代アーキテクチャのためのビジョンの重要な部分である。次世代モバイルネットワークなどの様々なフォーラムが述べているように、ネットワークスライシングは、独立した事業活動をサポートする複数のエンドツーエンド論理ネットワークを展開することからなる。独立したネットワークインフラストラクチャを展開することとは対照的に、スライスの各インスタンス（青写真）は、（共有処理、ストレージ、トランスポート、無線スペクトル、およびハードウェアプラットフォームを含む）共有インフラストラクチャに対応する論理ネットワークとして実現することが可能であるべきであり、ただし、各インスタンスは、潜在的に異なる特性を有する他のスライスと共存する。
【００５０】
このようにして、インフラストラクチャおよびアセット利用は、はるかにコスト効率、およびエネルギー効率が高くなり、論理的な分離は、安定性およびセキュリティを損なうことなしに、スライスのフレキシブルで独立した設定および管理を可能にする。共通の物理的インフラストラクチャ上でのスライス実現を有効にすることは、当然、専用リソースおよびアセットによるスライスインスタンスの実現を妨げないであろう。
【００５１】
また、３ＧＰＰでは、ネットワークスライシングの概念は、様々な垂直産業のニーズに対処するやり方として導入され、次世代アーキテクチャのための広範囲のユースケースに変換されてきた。数例を挙げると、３ＧＰＰ  ＴＲ２２．８９１  Ｖ１４．０．０（２０１６−０３）は、ネットワークスライスが（１つまたは複数の）特定のユースケースの通信サービス要件をサポートするべきであると明示的に述べている。ネットワークスライシングに関連付けられたサービスおよび動作要件のセットが与えられてきた。３ＧＰＰ  ＳＡ２では、ネットワークスライシングは、オペレータが、多様な要件を提示する様々なマーケットシナリオに、最適化されたソリューションを与えるようにカスタマイズされたネットワークを作成することを可能にするために、高レベルアーキテクチャ要件のうちの１つとして提示され、重要な問題のうちの１つとして記載されている。そのようなカスタマイズされた論理ネットワークのための例示的なユースケースは公共安全、Ｖ２Ｘ、モノのインターネット（ＩｏＴ）を含み、複数の産業に対処するための共通プラットフォームとしてのネットワークスライシングの重要性を強調することができる。
【００５２】
ネットワークスライシングのサポートは、３ＧＰＰ  ＴＲ３８．９１３  Ｖ０．３．０（２０１６−０３）において説明されるように、新しいＲＡＴのための要件としても記載されている。上記を満たすために、３ＧＰＰ  ＳＩＤ  Ｐｒｏｐｏｓａｌ  ＲＰ−１６０６７１に記載されている目的のうちの１つは、ネットワークスライシングの実現を有効にしたときの仕様の影響を研究し、識別することである。いくつかの初期研究も、調査コミュニティ内で行われてきた。ＲＡＮ３では、ＴＲ３８．８０１においてネットワークスライシングのための以下の態様が取り込まれた（編集者の注は削除されている）。
スライスのＲＡＮアウェアネス
−  ＲＡＮは、事前設定された異なるネットワークスライスのための、トラフィックの区別されたハンドリングをサポートするものとする。ＲＡＮ機能（すなわち、各スライスを備えるネットワーク機能のセット）に関して、ＲＡＮがどのようにスライス有効化をサポートするかは、実装依存である。
ネットワークスライスのＲＡＮ部分の選択
−  ＲＡＮは、ＰＬＭＮにおける事前設定されたネットワークスライスのうちの１つを明確に識別する、ＵＥによって与えられるスライスＩＤによって、ネットワークスライスのＲＡＮ部分の選択をサポートするものとする。
スライス間のリソース管理
−  ＲＡＮは、サービスレベルアグリーメントに従うスライス間のポリシー実施をサポートするものとする。単一のＲＡＮノードが複数のスライスをサポートすることが可能であるべきである。ＲＡＮは、実施されているＳＬＡにとっての最良のＲＲＭポリシーを各サポートされるスライスに自由に適用することができるべきである。
ＱｏＳのサポート
−  ＲＡＮは、スライス内のＱｏＳ区別をサポートするものとする。
ＣＮエンティティのＲＡＮ選択
−  ＲＡＮは、受信されたスライスＩＤとＲＡＮノード中のマッピング（ＣＮエンティティ、サポートされるスライス）とに基づいてアップリンクメッセージの初期ルーティングのためのＣＮエンティティの初期選択をサポートするものとする。スライスＩＤが受信されない場合、ＲＡＮは、ＮＮＳＦのような機能、たとえば、ＵＥ一時ＩＤに基づいてＣＮエンティティを選択する。
スライス間のリソース隔離
−  ＲＡＮは、スライス間のリソース隔離をサポートするものとする。ＲＡＮリソース隔離は、ＲＲＭポリシーと、１つのスライス中の共用リソースの不足が別のスライスのためのサービスレベルアグリーメントを破ることを回避するべきである保護機構とによって達成され得る。ＲＡＮリソースをあるスライスに完全に専用化することが可能であるべきである。いくつかの実施形態によれば、限られたネットワークスライス利用可能性をもつネットワーク内のネットワークノードと無線デバイスとの動作を向上させることが本明細書で提案される。ネットワークスライシングは、ネットワークの論理的に分離されたパーティションを作成すること、異なる用途目的に対処することに関する。これらの「ネットワークスライス」は、ネットワークスライスがネットワークスライス自体のネットワークと見なされ、管理され得る程度に論理的に分離される。ネットワークスライスは、異なるスライステナント、すなわち、ネットワークスライスを介して使用されるエンドにサービスを与えるエンティティに関連付けられ得る。スライステナントの例は、たとえば、専用ネットワークスライスを介して音声サービスを与える軍隊、たとえば、専用ネットワークスライス介して車両診断サービスを与える車両製造業者などであり得る。また、サービスレベルアグリーメント（ＳＬＡ）を各ネットワークスライスに関連付けることは一般的である。そのようなＳＬＡは、ネットワークスライス内で与えられる処理サービスが従うべきであることを示す。
【００５３】
ネットワークスライシングは、ＬＴＥ発展と（本明細書ではＮＲと呼ばれる）新しい５Ｇ  ＲＡＴの両方に適用される新しい概念である。ネットワークスライシングを導入するための重要な要因は、事業拡大、すなわち、たとえば、異なるネットワーク特性（性能、セキュリティ、ロバストネス、および複雑さ）をもつコネクティビティサービスを提供することによって、他の産業をサーブするセルラーオペレータの能力を改善することである。
【００５４】
現在の作業仮説は、エボルブドパケットコア（ＥＰＣ）インスタンス（ネットワークスライスごとに１つのＥＰＣインスタンス）またはさらなるＥＰＣ発展など、いくつかのコアネットワークインスタンスに接続することになる１つの共有無線アクセスネットワーク（ＲＡＮ）インフラストラクチャがあるであろうということである。ＣＮ機能（たとえば、ＥＰＣ機能）が仮想化されるにつれて、新しいスライスがサポートされるべきであるとき、オペレータが新しいコアネットワーク（ＣＮ）をインスタンス化し得ると仮定される。別の場合には、ネットワークスライスは、専用ハードウェアに基づく既存のモノリシックＥＰＣアーキテクチャに基づいて実装され得る。
【００５５】
図１は、いくつかの実施形態による、ネットワークスライス１４０をもつネットワーク１００の一実施形態を示す。ネットワーク１１０は、無線デバイス１１０と、無線アクセスネットワーク（ＲＡＮ）１２０と、コアネットワーク機能１３０Ａおよび１３０Ｂと、ネットワークスライス１４０（すなわち、スライス０およびスライス１）とを備え得る。無線デバイス１１０は、ＲＡＮ１２０と、コアネットワーク機能１３０Ａまたは１３０Ｂのうちの１つとを通して、ネットワークスライス１４０のうちの１つに接続し得る。
【００５６】
いくつかの実施形態では、コアネットワーク機能１３０Ａまたは１３０Ｂの各々は、ネットワークスライス１４０のうちの特定の１つをサポートし得る。たとえば、図１に示されているように、コアネットワーク機能１３０Ａはスライス０をサポートし得、コアネットワーク機能１３０Ｂはスライス１をサポートし得る。無線デバイス１１０は、ＲＡＮ１２０を通して、ネットワークスライス１４０のうちの特定の１つをサポートするコアネットワーク機能１３０のうちの特定の１つ、またはコアネットワーク機能１３０のグループのうちの１つに接続することによって、ネットワークスライス１４０のうちのその特定の１つに接続し得る。
【００５７】
ネットワークスライス１４０の各々は、異なる機能または用途を表現し得る。たとえば、ネットワークスライス１４０のスライス０はモバイルブロードバンドスライスであり得、ネットワークスライス１４０のスライス１はマシン型通信ネットワークスライスであり得る。それぞれネットワークスライス１４０のうちの１つのみに接続される無線デバイス１１０として示されているにもかかわらず、いくつかの実施形態では、無線デバイス１１０のうちの１つまたは複数は、ネットワークスライス１４０のうちの２つ以上にコンカレントに接続し得る。
【００５８】
本明細書で説明されるソリューションは、任意の好適な構成要素を使用する任意の適切なタイプのシステムにおいて実装され得るが、説明されるソリューションの特定の実施形態は、図２に示されている例示的な無線通信ネットワークなどの無線ネットワークにおいて実装され得る。図２の例示的な実施形態では、無線通信ネットワークは、通信および他のタイプのサービスを１つまたは複数の無線デバイスに与える。図示の実施形態では、無線通信ネットワークは、無線通信ネットワークによって与えられるサービスへの無線デバイスのアクセスおよび／またはそれらのサービスの使用を容易にするネットワークノードの１つまたは複数のインスタンスを含む。無線通信ネットワークは、無線デバイス間の通信、または無線デバイスと固定電話などの別の通信デバイスとの間の通信をサポートするのに好適な追加のエレメントをさらに含み得る。
【００５９】
ネットワーク２２０は、１つまたは複数のＩＰネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００６０】
無線通信ネットワークは、任意のタイプの通信、電気通信、データ、セルラー、および／または無線ネットワークあるいは他のタイプのシステムを表現し得る。特定の実施形態では、無線通信ネットワークは、特定の規格あるいは他のタイプのあらかじめ規定されたルールまたはプロシージャに従って動作するように設定され得る。したがって、無線通信ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、および／または他の好適な２Ｇ、３Ｇ、４Ｇ、または５Ｇ規格など、通信規格、ＩＥＥＥ８０２．１１規格などの無線ローカルエリアネットワーク（ＷＬＡＮ）規格、ならびに／あるいは、ワールドワイドインターオペラビリティフォーマイクロウェーブアクセス（ＷｉＭａｘ）、Ｂｌｕｅｔｏｏｔｈ、および／またはＺｉｇＢｅｅ規格など、任意の他の適切な無線通信規格を実装し得る。
【００６１】
図２は、特定の実施形態による、ネットワークノード２００と無線デバイス（ＷＤ）２１０とのより詳細なビューを備える無線ネットワークを示す。簡単のために、図２は、ネットワーク２２０と、ネットワークノード２００および２００ａと、ＷＤ２１０とを描くにすぎない。ネットワークノード２００は、プロセッサ２０２と、ストレージ２０３と、インターフェース２０１と、アンテナ２０１ａとを備える。同様に、ＷＤ２１０は、プロセッサ２１２と、ストレージ２１３と、インターフェース２１１と、アンテナ２１１ａとを備える。これらの構成要素は、無線ネットワークにおいて無線接続を与えることなど、ネットワークノードおよび／または無線デバイス機能性を与えるために協働し得る。異なる実施形態では、無線ネットワークは、任意の数の有線または無線ネットワーク、ネットワークノード、基地局、コントローラ、無線デバイス、中継局、ならびに／あるいは有線接続を介してかまたは無線接続を介してかにかかわらず、データおよび／または信号の通信を容易にするかまたはその通信に参加し得る他の構成要素を備え得る。
【００６２】
本明細書で使用される「ネットワークノード」は、無線デバイスと、ならびに／あるいは、無線デバイスへの無線アクセスを可能にし、および／または与える、無線通信ネットワーク中の他の機器と、直接または間接的に通信することが可能な、そうするように設定された、構成された、および／または動作可能な機器を指す。ネットワークノードの例は、限定はしないが、アクセスポイント（ＡＰ）を含み、特に、無線アクセスポイントを含む。ネットワークノードは、無線基地局などの基地局（ＢＳ）を表現し得る。無線基地局の特定の例は、ノードＢ、およびエボルブドノードＢ（ｅＮＢ）を含む。基地局は、基地局が与えるカバレッジの量（または、言い方を変えれば、基地局の送信電力レベル）に基づいてカテゴリー分類され得、その場合、フェムト基地局、ピコ基地局、マイクロ基地局、またはマクロ基地局と呼ばれることもある。「ネットワークノード」は、リモート無線ヘッド（ＲＲＨ）と呼ばれることがある、集中型デジタルユニットおよび／またはリモートラジオユニット（ＲＲＵ）など、分散型無線基地局の１つまたは複数（またはすべて）の部分をも含む。そのようなリモートラジオユニットは、アンテナ統合無線機としてアンテナと統合されることも統合されないこともある。分散型無線基地局の部分は、分散型アンテナシステム（ＤＡＳ）において、ノードと呼ばれることもある。
【００６３】
特定の非限定的な例として、基地局は、リレーを制御するリレーノードまたはリレードナーノードであり得る。
【００６４】
ネットワークノードのまたさらなる例は、マルチ規格無線（ＭＳＲ）ＢＳなどのＭＳＲ機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／あるいはＭＤＴを含む。しかしながら、より一般的には、ネットワークノードは、無線通信ネットワークへの無線デバイスアクセスを可能にし、および／または与え、あるいは、無線通信ネットワークにアクセスした無線デバイスに何らかのサービスを与えることが可能な、そうするように設定された、構成された、および／または動作可能な任意の好適なデバイス（またはデバイスのグループ）を表現し得る。
【００６５】
本明細書で使用される「無線ノード」という用語は、一般的に、各々がそれぞれ上記で説明されたような、無線デバイスとネットワークノードの両方を指すために使用される。
【００６６】
図２では、ネットワークノード２００は、プロセッサ２０２と、ストレージ２０３と、インターフェース２０１と、アンテナ２０１ａとを備える。これらの構成要素は、単一のより大きいボックス内に位置する単一のボックスとして描かれている。しかしながら、実際には、ネットワークノードは、単一の図示された構成要素を作成する複数の異なる物理的構成要素を備え得る（たとえば、インターフェース２０１は、有線接続のためのワイヤを結合するための端末と、無線接続のための無線トランシーバとを備え得る）。別の例として、ネットワークノード２００は、複数の異なる物理的に別個の構成要素が、ネットワークノード２００の機能性を与えるために対話する、仮想ネットワークノードであり得る（たとえば、プロセッサ２０２は、３つの別個のエンクロージャ中に位置する３つの別個のプロセッサを備え得、各プロセッサは、ネットワークノード２００の特定のインスタンスのための異なる機能を担当する）。同様に、ネットワークノード２００は、複数の物理的に別個の構成要素（たとえば、ノードＢ構成要素およびＲＮＣ構成要素、ＢＴＳ構成要素およびＢＳＣ構成要素など）から組み立てられ得、これらは各々、それら自体のそれぞれのプロセッサ、ストレージ、およびインターフェース構成要素を有し得る。ネットワークノード２００が複数の別個の構成要素（たとえば、ＢＴＳ構成要素およびＢＳＣ構成要素）を備えるいくつかのシナリオでは、別個の構成要素のうちの１つまたは複数が、いくつかのネットワークノードの間で共有され得る。たとえば、単一のＲＮＣが、複数のノードＢを制御し得る。そのようなシナリオでは、各一意のノードＢとＢＳＣとのペアは、別個のネットワークノードであり得る。いくつかの実施形態では、ネットワークノード２００は、複数の無線アクセス技術（ＲＡＴ）をサポートするように設定され得る。そのような実施形態では、いくつかの構成要素は複製され得（たとえば、異なるＲＡＴのための別個のストレージ２０３）、いくつかの構成要素は再利用され得る（たとえば、同じアンテナ２０１ａがＲＡＴによって共有され得る）。
【００６７】
プロセッサ２０２は、単体で、またはストレージ２０３などの他のネットワークノード２００構成要素と併せてのいずれかで、ネットワークノード２００機能性を与えるように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せであり得る。たとえば、プロセッサ２０２は、ストレージ２０３に記憶された命令を実行し得る。そのような機能性は、ＷＤ２１０などの無線デバイスに、本明細書で開示される特徴または利益のうちのいずれかを含む、本明細書で説明される様々な無線特徴を提供することを含み得る。たとえば、いくつかの実施形態では、プロセッサ２０２は、図１３に関して説明される方法を実施するための命令を実行し得る。
【００６８】
ストレージ２０３は、限定はしないが、永続ストレージ、固体メモリ、リモートでマウントされたメモリ、磁気媒体、光媒体、ランダムアクセスメモリ（ＲＡＭ）、読取り専用メモリ（ＲＯＭ）、リムーバブル媒体、あるいは他の好適なローカルまたはリモートメモリ構成要素を含む、任意の形態の揮発性または不揮発性コンピュータ可読メモリを備え得る。ストレージ２０３は、ネットワークノード２００によって利用される、ソフトウェアおよび符号化された論理を含む、任意の好適な命令、データまたは情報を記憶し得る。ストレージ２０３は、プロセッサ２０２によって行われた計算および／またはインターフェース２０１を介して受信されたデータを記憶するために使用され得る。
【００６９】
ネットワークノード２００は、ネットワークノード２００、ネットワーク２２０、および／またはＷＤ２１０の間のシグナリングおよび／またはデータの有線または無線通信において使用され得る、インターフェース２０１をも備える。たとえば、インターフェース２０１は、ネットワークノード２００が、有線接続にわたってネットワーク２２０からデータを送り、受信することを可能にするために必要とされ得る、フォーマットすること、コーディングすること、または変換することを実施し得る。インターフェース２０１はまた、アンテナ２０１ａに結合されるかまたはアンテナ２０１ａの一部であり得る、無線送信機および／または受信機を含み得る。無線機は、無線接続を介して他のネットワークノードまたはＷＤに送出されるべきであるデジタルデータを受信し得る。無線機は、デジタルデータを、適切なチャネルおよび帯域幅パラメータを有する無線信号にコンバートし得る。無線信号は、次いで、アンテナ２０１ａを介して適切な受信側（たとえば、ＷＤ２１０）に送信され得る。
【００７０】
アンテナ２０１ａは、データおよび／または信号を無線で送信および受信することが可能な任意のタイプのアンテナであり得る。いくつかの実施形態では、アンテナ２０１ａは、たとえば、２ＧＨｚと６６ＧＨｚとの間の無線信号を送信／受信するように動作可能な１つまたは複数の全方向の、セクタまたはパネルアンテナを備え得る。全方向アンテナは、任意の方向に無線信号を送信／受信するために使用され得、セクタアンテナは、特定のエリア内のデバイスから無線信号を送信／受信するために使用され得、パネルアンテナは、比較的直線ラインで無線信号を送信／受信するために使用される見通し線アンテナであり得る。
【００７１】
本明細書で使用される「無線デバイス」（ＷＤ）は、ネットワークノードおよび／または別の無線デバイスと無線で通信することが可能な、そうするように設定された、構成された、および／または動作可能なデバイスを指す。無線で通信することは、空中で情報を伝達するのに好適な、電磁信号、電波、赤外線信号、および／または他のタイプの信号を使用して無線信号を送信および／または受信することを伴い得る。特定の実施形態では、無線デバイスは、直接人間対話なしに情報を送信および／または受信するように設定され得る。たとえば、無線デバイスは、内部または外部イベントによってトリガされたとき、あるいは、ネットワークからの要求に応答して、所定のスケジュールでネットワークに情報を送信するように設計され得る。概して、無線デバイスは、無線通信が可能な、そのために設定された、構成された、および／または動作可能な任意のデバイス、たとえば無線通信デバイスを表現し得る。無線デバイスの例は、限定はしないが、スマートフォンなどのユーザ機器（ＵＥ）を含む。さらなる例は、無線カメラ、無線対応タブレットコンピュータ、ラップトップ埋込み機器（ＬＥＥ）、ラップトップ搭載機器（ＬＭＥ）、ＵＳＢドングル、および／または無線顧客構内機器（ＣＰＥ）を含む。
【００７２】
１つの特定の例として、無線デバイスは、第３世代パートナーシッププロジェクト（３ＧＰＰ）のＧＳＭ、ＵＭＴＳ、ＬＴＥ、および／または５Ｇ規格など、３ＧＰＰによって公表された１つまたは複数の通信規格による通信のために設定されたＵＥを表現し得る。本明細書で使用される「ユーザ機器」または「ＵＥ」は、必ずしも、関連があるデバイスを所有し、および／または動作させる人間のユーザという意味における「ユーザ」を有するとは限らない。代わりに、ＵＥは、人間のユーザへの販売、または人間のユーザによる動作を意図されるが、特定の人間のユーザと初めに関連付けられないことがあるデバイスを表現し得る。
【００７３】
無線デバイスは、たとえばサイドリンク通信のための３ＧＰＰ規格を実装することによって、デバイス間（Ｄ２Ｄ）通信をサポートし得、この場合、Ｄ２Ｄ通信デバイスと呼ばれることがある。
【００７４】
また別の特定の例として、モノのインターネット（ＩｏＴ）シナリオでは、無線デバイスは、監視および／または測定を実施し、そのような監視および／または測定の結果を別の無線デバイスおよび／またはネットワークノードに送信する、マシンまたは他のデバイスを表現し得る。無線デバイスは、この場合、マシン間（Ｍ２Ｍ）デバイスであり得、Ｍ２Ｍデバイスは、３ＧＰＰコンテキストではマシン型通信（ＭＴＣ）デバイスと呼ばれることがある。１つの特定の例として、無線デバイスは、３ＧＰＰ狭帯域モノのインターネット（ＮＢ−ＩｏＴ）規格を実装するＵＥであり得る。そのようなマシンまたはデバイスの特定の例は、センサー、電力計などの計量デバイス、産業用機械類、あるいは家庭用または個人用電気器具、たとえば、冷蔵庫、テレビジョン、時計などの個人用ウェアラブルなどである。他のシナリオでは、無線デバイスは車両または他の機器を表現し得、車両または他の機器は、その動作ステータスを監視することおよび／またはその動作ステータスに関して報告すること、あるいはその動作に関連付けられた他の機能が可能である。
【００７５】
上記で説明された無線デバイスは無線接続のエンドポイントを表現し得、その場合には、デバイスは無線端末と呼ばれることがある。その上、上記で説明された無線デバイスはモバイルであり得、その場合には、デバイスはモバイルデバイスまたはモバイル端末と呼ばれることもある。
【００７６】
図２に描かれているように、ＷＤ２１０は、任意のタイプの無線エンドポイント、移動局、モバイルフォン、無線ローカルループフォン、スマートフォン、ユーザ機器、デスクトップコンピュータ、ＰＤＡ、セルフォン、タブレット、ラップトップ、ＶｏＩＰフォンまたはハンドセットであり得、これは、ネットワークノード２００および／または他のＷＤなど、ネットワークノードとの間でデータおよび／または信号を無線で送り、受信することが可能である。ＷＤ２１０は、プロセッサ２１２と、ストレージ２１３と、インターフェース２１１と、アンテナ２１１ａとを備える。ネットワークノード２００のように、ＷＤ２１０の構成要素は、単一のより大きいボックス内に位置する単一のボックスとして描かれているが、実際には、無線デバイスは、単一の図示された構成要素を作成する複数の異なる物理的構成要素を備え得る（たとえば、ストレージ２１３は複数の個別マイクロチップを備え得、各マイクロチップは総記憶容量の一部分を表す）。
【００７７】
プロセッサ２１２は、単体で、またはストレージ２１３などの他のＷＤ２１０構成要素と組み合わせてのいずれかで、ＷＤ２１０機能性を与えるように動作可能な、マイクロプロセッサ、コントローラ、マイクロコントローラ、中央処理ユニット、デジタル信号プロセッサ、特定用途向け集積回路、フィールドプログラマブルゲートアレイ、または任意の他の好適なコンピューティングデバイス、リソースのうちの１つまたは複数の組合せ、あるいはハードウェア、ソフトウェアおよび／または符号化された論理の組合せであり得る。そのような機能性は、本明細書で開示される特徴または利益のうちのいずれかを含む、本明細書で説明される様々な無線特徴を与えることを含み得る。たとえば、いくつかの実施形態では、プロセッサ２１２は、図１４に関して説明される方法を実施するための命令を実行し得る。
【００７８】
ストレージ２１３は、限定はしないが、永続ストレージ、固体メモリ、リモートでマウントされたメモリ、磁気媒体、光媒体、ランダムアクセスメモリ（ＲＡＭ）、読取り専用メモリ（ＲＯＭ）、リムーバブル媒体、あるいは任意の他の好適なローカルまたはリモートメモリ構成要素を含む、任意の形態の揮発性または不揮発性メモリであり得る。ストレージ２１３は、ＷＤ２１０によって利用される、ソフトウェアおよび符号化された論理を含む、好適なデータ、命令、または情報を記憶し得る。ストレージ２１３は、プロセッサ２１２によって行われた計算および／またはインターフェース２１１を介して受信されたデータを記憶するために使用され得る。
【００７９】
インターフェース２１１は、ＷＤ２１０とネットワークノード２００との間のシグナリングおよび／またはデータの無線通信において使用され得る。たとえば、インターフェース２１１は、ＷＤ２１０が、無線接続にわたってネットワークノード２００からデータを送り、受信することを可能にするために必要とされ得る、フォーマットすること、コーディングすること、または変換することを実施し得る。インターフェース２１１はまた、アンテナ２１１ａに結合されるかまたはアンテナ２１１ａの一部であり得る、無線送信機および／または受信機を含み得る。無線機は、無線接続を介してネットワークノード２０１に送出されるべきであるデジタルデータを受信し得る。無線機は、デジタルデータを、適切なチャネルおよび帯域幅パラメータを有する無線信号にコンバートし得る。無線信号は、次いで、アンテナ２１１ａを介してネットワークノード２００に送信され得る。
【００８０】
アンテナ２１１ａは、データおよび／または信号を無線で送信および受信することが可能な任意のタイプのアンテナであり得る。いくつかの実施形態では、アンテナ２１１ａは、２ＧＨｚと６６ＧＨｚとの間の無線信号を送信／受信するように動作可能な１つまたは複数の全方向の、セクタまたはパネルアンテナを備え得る。簡単のために、アンテナ２１１ａは、無線信号が使用されている限り、インターフェース２１１の一部と見なされ得る。
【００８１】
図３は、例示的な無線デバイス、ユーザ機器（ＵＥ）３００を示す。ＵＥ３００は、アンテナ３０５と、無線フロントエンド回路要素３１０と、処理回路要素３１５と、コンピュータ可読記憶媒体３３０とを含む。アンテナ３０５は、１つまたは複数のアンテナまたはアンテナアレイを含み得、無線信号を送り、および／または受信するように設定され、無線フロントエンド回路要素３１０に接続される。いくつかの代替実施形態では、無線デバイス３００はアンテナ３０５を含まないことがあり、代わりに、アンテナ３０５は、無線デバイス３００とは別個であり、インターフェースまたはポートを通して無線デバイス３００に接続可能であり得る。
【００８２】
無線フロントエンド回路要素３１０は、様々なフィルタおよび増幅器を備え得、アンテナ３０５および処理回路要素３１５に接続され、アンテナ３０５と処理回路要素３１５との間で通信される信号を調節するように設定される。いくつかの代替実施形態では、無線デバイス３００は無線フロントエンド回路要素３１０を含まないことがあり、代わりに、処理回路要素３１５は、無線フロントエンド回路要素３１０なしでアンテナ３０５に接続され得る。
【００８３】
処理回路要素３１５は、無線周波数（ＲＦ）トランシーバ回路要素、ベースバンド処理回路要素、およびアプリケーション処理回路要素のうちの１つまたは複数を含み得る。いくつかの実施形態では、ＲＦトランシーバ回路要素、ベースバンド処理回路要素、およびアプリケーション処理回路要素は、別個のチップセット上にあり得る。代替実施形態では、ベースバンド処理回路要素およびアプリケーション処理回路要素の一部または全部は組み合わせられて１つのチップセットになり得、ＲＦトランシーバ回路要素は別個のチップセット上にあり得る。さらに代替の実施形態では、ＲＦトランシーバ回路要素およびベースバンド処理回路要素の一部または全部は同じチップセット上にあり得、アプリケーション処理回路要素は別個のチップセット上にあり得る。また他の代替実施形態では、ＲＦトランシーバ回路要素、ベースバンド処理回路要素、およびアプリケーション処理回路要素の一部または全部は、同じチップセット中で組み合わせられ得る。処理回路要素３１５は、たとえば、１つまたは複数の中央処理ユニット（ＣＰＵ）、１つまたは複数のマイクロプロセッサ、１つまたは複数の特定用途向け集積回路（ＡＳＩＣ）、および／または１つまたは複数のフィールドプログラマブルゲートアレイ（ＦＰＧＡ）を含み得る。
【００８４】
特定の実施形態では、無線デバイスによって与えられるものとして本明細書で説明される機能性の一部または全部は、コンピュータ可読記憶媒体３３０に記憶された命令を実行する処理回路要素３１５によって与えられ得る。代替実施形態では、機能性の一部または全部は、配線接続された様式などで、コンピュータ可読媒体に記憶された命令を実行することなしに処理回路要素３１５によって与えられ得る。それらの特定の実施形態のいずれでも、コンピュータ可読記憶媒体に記憶された命令を実行するか否かにかかわらず、処理回路要素は、説明される機能性を実施するように設定されると言われ得る。そのような機能性によって与えられる利益は、処理回路要素３１５単独に、またはＵＥ３００の他の構成要素に限定されないが、全体として無線デバイスによって、ならびに／または概してエンドユーザおよび無線ネットワークによって、享受される。
【００８５】
アンテナ３０５、無線フロントエンド回路要素３１０、および／または処理回路要素３１５は、無線デバイスによって実施されるものとして本明細書で説明される受信動作を実施するように設定され得る。任意の情報、データおよび／または信号が、ネットワークノードおよび／または別の無線デバイスから受信され得る。
【００８６】
処理回路要素３１５は、無線デバイスによって実施されるものとして本明細書で説明される決定動作を実施するように設定され得る。処理回路要素３１５によって実施されるような、決定することは、処理回路要素３１５によって取得された情報を、たとえば、取得された情報を他の情報にコンバートすることによって、処理すること、取得された情報またはコンバートされた情報を無線デバイスに記憶された情報と比較すること、ならびに／あるいは、取得された情報またはコンバートされた情報に基づいて、および前記処理が決定を行ったことの結果として、１つまたは複数の動作を実施することを含み得る。いくつかの実施形態では、処理回路要素は、図１３に関して説明される方法を実施するための命令を実行し得る。
【００８７】
アンテナ３０５、無線フロントエンド回路要素３１０、および／または処理回路要素３１５は、無線デバイスによって実施されるものとして本明細書で説明される送信動作を実施するように設定され得る。任意の情報、データおよび／または信号が、ネットワークノードおよび／または別の無線デバイスに送信され得る。
【００８８】
コンピュータ可読記憶媒体３３０は、概して、コンピュータプログラム、ソフトウェア、論理、ルール、コード、テーブルなどのうちの１つまたは複数を含むアプリケーション、および／またはプロセッサによって実行されることが可能な他の命令など、命令を記憶するように動作可能である。コンピュータ可読記憶媒体３３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは、処理回路要素３１５によって使用され得る情報、データ、および／または命令を記憶する、任意の他の揮発性または不揮発性、非一時的コンピュータ可読および／またはコンピュータ実行可能メモリデバイスを含む。いくつかの実施形態では、処理回路要素３１５およびコンピュータ可読記憶媒体３３０は、統合されると見なされ得る。
【００８９】
ＵＥ３００の代替実施形態は、本明細書で説明される機能性および／または上記で説明されたソリューションをサポートするのに必要な機能性のうちのいずれかを含む、ＵＥの機能性のいくつかの態様を与えることを担当し得る、図３に示されている構成要素以外の追加の構成要素を含み得る。ほんの一例として、ＵＥ３００は、入力インターフェース、デバイスおよび回路、ならびに、出力インターフェース、デバイスおよび回路を含み得る。入力インターフェース、デバイス、および回路は、ＵＥ３００への情報の入力を可能にするように設定され、処理回路要素３１５が入力情報を処理することを可能にするために、処理回路要素３１５に接続される。たとえば、入力インターフェース、デバイス、および回路は、マイクロフォン、近接度または他のセンサー、キー／ボタン、タッチディスプレイ、１つまたは複数のカメラ、ＵＳＢポート、あるいは他の入力エレメントを含み得る。出力インターフェース、デバイス、および回路は、ＵＥ３００からの情報の出力を可能にするように設定され、処理回路要素３１５がＵＥ３００から情報を出力することを可能にするために、処理回路要素３１５に接続される。たとえば、出力インターフェース、デバイス、または回路は、スピーカー、ディスプレイ、振動回路要素、ＵＳＢポート、ヘッドフォンインターフェース、または他の出力エレメントを含み得る。１つまたは複数の入力および出力インターフェース、デバイス、および回路を使用して、ＵＥ３００は、エンドユーザおよび／または無線ネットワークと通信し、エンドユーザおよび／または無線ネットワークが本明細書で説明される機能性から利益を得ることを可能にし得る。
【００９０】
別の例として、ＵＥ３００は電力源（ｐｏｗｅｒ  ｓｏｕｒｃｅ）３３５を含み得る。電力源３３５は電力管理回路要素を備え得る。電力源３３５は電源（ｐｏｗｅｒ  ｓｕｐｐｌｙ）から電力を受信し得、電源は、電力源３３５中に備えられるか、または電力源３３５の外部にあるかのいずれかであり得る。たとえば、ＵＥ３００は、電力源３３５に接続された、または電力源３３５中で統合された、バッテリーまたはバッテリーパックの形態の電源を備え得る。光起電力デバイスなどの他のタイプの電力源も使用され得る。さらなる例として、ＵＥ３００は、電気ケーブルなどの入力回路要素またはインターフェースを介して（電気コンセントなどの）外部電源に接続可能であり得、それによって、外部電源は電力源３３５に電力を供給する。電力源３３５は、無線フロントエンド回路要素３１０、処理回路要素３１５、および／またはコンピュータ可読記憶媒体３３０に接続され、本明細書で説明される機能性を実施するための電力を、処理回路要素３１５を含む、ＵＥ３００に供給するように設定され得る。
【００９１】
ＵＥ３００は、たとえば、ＧＳＭ、ＷＣＤＭＡ、ＬＴＥ、ＮＲ、Ｗｉ−Ｆｉ、またはＢｌｕｅｔｏｏｔｈ無線技術など、無線デバイス３００に統合された異なる無線技術のための、処理回路要素３１５、コンピュータ可読記憶媒体３３０、無線回路要素３１０、および／またはアンテナ３０５の複数のセットをも含み得る。これらの無線技術は、同じまたは異なるチップセットおよび無線デバイス３００内の他の構成要素に統合され得る。
【００９２】
ＬＴＥアーキテクチャ
第３世代パートナーシッププロジェクト（３ＧＰＰ）は、現在、Ｌｏｎｇ  Ｔｅｒｍ  Ｅｖｏｌｕｔｉｏｎ（ＬＴＥ）概念のリリース１３の規格化に取り組んでいる。無線アクセスノード（ｅＮＢ、ホームｅＮＢ−ＨｅＮＢ、ＨｅＮＢ  ＧＷ）およびエボルブドパケットコアノード（ＭＭＥ／Ｓ−ＧＷ）を含む、ＬＴＥシステムのアーキテクチャが、図４に示されている。わかり得るように、Ｓ１インターフェースは、ＨｅＮＢ／ｅＮＢをＭＭＥ／Ｓ−ＧＷに接続し、ＨｅＮＢをＨｅＮＢ  ＧＷに接続するが、Ｘ２インターフェースは、随意にＸ２  ＧＷを介して、ピアｅＮＢ／ＨｅＮＢを接続する。
【００９３】
本開示で仮定される管理システムが、図５に示されている。ｅノードＢとも呼ばれるノードエレメント（ＮＥ）が、運用およびサポートシステム（ＯＳＳ）とも呼ばれる、ドメインマネージャ（ＤＭ）によって管理される。ＤＭは、さらに、ネットワークマネージャ（ＮＭ）によって管理され得る。２つのＮＥは、Ｘ２によってインターフェースされるが、２つのＤＭ間のインターフェースは、Ｉｔｆ−Ｐ２Ｐと呼ばれる。管理システムは、ネットワークエレメントを設定し、ならびにネットワークエレメント中の特徴に関連付けられた観測値を受信し得る。たとえば、ＤＭはＮＥを観測および設定するが、ＮＭは、ＤＭを観測および設定し、ならびにＤＭを介してＮＥを観測および設定する。ＤＭ、ＮＭおよび関係するインターフェースを介した設定によって、Ｘ２およびＳ１インターフェースを介した機能は、ＲＡＮ全体にわたって協調的なやり方で行われ、最終的にコアネットワーク、すなわち、ＭＭＥおよびＳ−ＧＷに関与することができる。
【００９４】
ＬＴＥアーキテクチャ発展および５Ｇ  ＲＡＮアーキテクチャ
ＬＴＥアーキテクチャは、５Ｇ時間フレームの課題に対応するために発展するべきであるかどうか、およびどのように発展するべきであるかは、まだ３ＧＰＰによって指定されていない。しかしながら、Ｓ１、Ｘ２およびＵｕインターフェースの発展されたカウンターパートがあり、任意の新しいＲＡＴが、ＬＴＥデュアルコネクティビティが規定されるやり方と同様の様式でＲＡＮレベルにおいてＬＴＥ無線インターフェースと統合されることになると仮定することができる。本明細書で開示される全体的な原理は、ＬＴＥのようなアーキテクチャと、Ｓ１インターフェースの発展に基づく新しいアーキテクチャの両方に有効であろう。
【００９５】
５Ｇ  ＲＡＮアーキテクチャに関して言えば、たとえば、いくつかの同期機能性と非同期機能性との間に新規のインターフェースがあり得る。現在のＲＡＮアーキテクチャの可能な将来の発展に関する異なる議論が、当業界において進行中である。マクロサイトベースのトポロジーにおける出発点から、低電力セルの導入、異なる無線基地局サイト間のトランスポートネットワークの発展、無線基地局ハードウェア発展、処理能力の必要性の増加などは、新しい課題および機会を生じた。いくつかの強い力が、ＲＡＮアーキテクチャに対して働き、時々異なる方向に引っぱっている。協調の利得、ハードウェアプーリング利得、エネルギー節約利得、およびバックホール／フロントホールネットワークの発展のような一部は、より集中型の展開のほうを優先して取り組んでいるが、何らかの５Ｇユースケース、たとえば、ミッションクリティカルなＭＴＣ用途のための極めて低いレイテンシ要件など、他のものは、分散に向けて取り組んでいる。フロントホールおよびバックホールという用語は、基地局に関して使用される。フロントホールについての旧来の規定は、ベースバンド（メインユニット）と無線ユニットとの間のＣＰＲＩベースのファイバーリンクである。バックホールは、Ｓ１／Ｘ２インターフェースのために使用されるトランスポートネットワークを指す。
【００９６】
バックホール／フロントホールにおける最近の発展は、実際、しばしばＣ−ＲＡＮと呼ばれるベースバンドを集中化する実現性を切り開いてきた。Ｃ−ＲＡＮは、異なるやり方で解釈され得る用語である。一部では、Ｃ−ＲＡＮは、多くのサイトからのベースバンドが中央サイトにコロケートされる、「ベースバンドホテル」のようなソリューションを意味し、ただし、サイト間の緊密な接続およびデータの高速な交換がない。最も一般的な解釈は、おそらく、ベースバンド間に少なくともある種類の協調がある「集中型ＲＡＮ」である。潜在的に魅力的なソリューションは、マクロ基地局、およびマクロ基地局によってカバーされるより低い電力のノードに基づくより小さい集中型ＲＡＮである。この設定では、マクロノードと低電力ノードとの間の緊密な協調は、しばしば、かなりの利得を与えることができる。「協調ＲＡＮ」という用語は、集中化の協調利得に焦点を当てる、しばしば使用される解釈である。Ｃ−ＲＡＮの他のより未来的な解釈は、無線ネットワーク機能性が、一般的なハードウェア（汎用プロセッサ）上で、場合によっては仮想マシンとしてサポートされる、「クラウド」ベースおよび「仮想化された」ＲＡＮソリューションを含む。
【００９７】
集中型展開は、たとえば、保守、アップグレードの考えられる容易さ、およびサイトのより少ない必要性、ならびに協調利得の成果のような１つまたは複数の力によって駆りたてられ得る。一般的な誤解は、集中化によって行われるべき大きいプーリング利得および対応するＨＷの節約があることである。プーリング利得は、プールされたセルの第１の数に対して大きいが、その後、急速に減少する。コロケートおよび相互接続されたより多数のサイトからのベースバンドを有することの１つの重要な利点は、それにより可能になる緊密な協調である。これらの例はＵＬ  ＣｏＭＰであり、いくつかのセクタ／キャリアを１つのセルに組み合わせることである。これらの特徴の利得は、たとえば、ベースバンドのコロケーションなしに標準インターフェース（Ｘ２）を介して行われ得るｅＩＣＩＣなど、より緩い協調方式の利得に関して、時々顕著であり得る。
【００９８】
協調利得観点からの魅力的なＣ−ＲＡＮ展開は、より大きいマクロサイトの周りに構築されるＣ−ＲＡＮであり、通常、高速相互接続を介してマクロに緊密に組み込まれる、いくつかの周波数帯域およびマクロサイトによってカバーされるいくつかのより低電力の無線機を伴う。最大利得は、スタジアムおよびモールなど、展開シナリオにおいて見られることが予想される。Ｃ−ＲＡＮ展開のための重要な考慮事項は、フロントホールにわたるトランスポート、すなわち、集中型ベースバンド部分と無線機との間の接続、「ファーストマイル」である。マーケット間でかなり大幅に変動する、フロントホールのコストは、利益と比較考量される必要がある。
【００９９】
３ＧＰＰにおける将来の議論は、図６に示されているＲＡＮ機能的分割につながり得る。そこで、ＲＡＮ機能は、（ｓ−ｅＮＢと呼ばれる論理ノード中に配置された）同期機能と、（ａ−ｅＮＢと呼ばれる論理ノード中に配置された）非同期機能とに分類される。ｓ−ｅＮＢに関連付けられた機能、すなわち、同期機能（ＳＦ）のインスタンスは、エアインターフェースに最も近いノードにおいて配置される。これらは、いわゆる同期機能的グループ（ＳＦＧ）を形成することになる。一方、（本文書ではａ−ｅＮＢとも呼ばれる）ｅＮＢ−ａに関連付けられた非同期機能（ＡＦ）のインスタンスは、エアインターフェースに最も近いノード（すなわち、（本文書ではｅＮＢ−ｓとも呼ばれる）ｓ−ｅＮＢ機能がインスタンス化される同じノード）において、または固定ネットワークノード（ＦＮＮ）においてのいずれかでフレキシブルにインスタンス化され得る。
【０１００】
５Ｇコアネットワークアーキテクチャ
３ＧＰＰ  ＴＲ２３．７９９ｖ１．０．２において論じられ、文書化されたいくつかのアーキテクチャオプションがある。以下は、進行中の研究の過程において確実に変更されることになるオプションを反映するオプション６であり、したがって、変更が予想され得る。以下は、３ＧＰＰ  ＴＲ２３．７９９ｖ１．０．２からのセクション７．６である。
【０１０１】
７．６．１  概略
ＮｅｘｔＧｅｎネットワーク参照アーキテクチャは、以下の態様を考慮するべきである。
１）  ５Ｇユースケースおよびサービス要件をサポートする
２）  動作アジリティを可能にする（極度の自動化を可能にする（より速い展開、アップグレード、ＴＣＯの低減）
３）  ネットワークの異なる部分（たとえば、アクセスおよびコア）の独立した発展を可能にする。
【０１０２】
重要なアーキテクチャ原理：
−  独立した発展を可能にし、オペレータが異なるトランスポート技術（たとえば、イーサネット、ＭＰＬＳ、ＳＤＮベースのトランスポートなど）を使用することを可能にするために、３ＧＰＰネットワーク機能からトランスポートドメインを抽出する。３ＧＰＰネットワーク機能は、トランスポートドメインにおけるこれらの技術のいずれかのサポートを義務づけるべきでもなく、除外すべきでもない。
【０１０３】
ＵＰ機能とＣＰ機能とのスケーラビリティを独立して可能にする
−  ＣＰとは別個のＵＰのフレキシブル展開、すなわち、中央ロケーションまたは分散（リモート）ロケーション（すなわち、ロケーションにおける制限がない）を可能にする。
−  異なるＰＤＵタイプ、たとえばＩＰ、イーサネットの送信をサポートする
−  エンドユーザサービスを与える機能からの、サブスクリプションデータベースを含む機能の分離
−  ネットワーク挙動とエンドユーザエクスペリエンスとを支配するためのポリシー機能の分離
−  異なるネットワークスライスにおける異なるネットワーク設定を可能にする。
【０１０４】
制御プレーン：
−  ＵＥが、いくつかの機能性がネットワークにおいてサポートされることを確信することは重要であり、したがって、ＵＥとネットワーク機能との間のマルチベンダインターワーキングを可能にすることは重要である。しかしながら、ＵＥ観点から、ＵＥがネットワーク内でどのようにおよびどこに存在するか（たとえば、どの機能モジュールまたはソフトウェアが、ある機能をサポートするか）は無関係である。
−  無線機とコアネットワーク内のネットワーク機能との間のマルチベンダインターワーキング、およびコアネットワーク内のネットワーク機能間のマルチベンダインターワーキングを可能にすることは、重要である。同時に、単一のインターフェースが無線機に対して公開され、コアネットワークにおいてサポートされるモジュラー（基本）機能を抽出するならば、十分である。
【０１０５】
ユーザプレーン：
−  一般的なユーザプレーン機能（ＵＰ機能）が規定され、ＵＰ機能は、（他のＵＰ機能／データネットワーク／制御プレーンへのフォワーディング動作、ビットレート施行動作、サービス検出動作などを含む）様々なユーザプレーン動作をサポートする。
注１：ユーザプレーン動作の詳細なリストは、重要な問題４の結論に基づくことになる。
−  制御プレーンは、セッションのために必要とされるトラフィックハンドリング機能を与えるようにＵＰ機能を設定する。セッションごとの１つまたは複数のＵＰ機能は、所与のユーザプレーンシナリオの必要に応じて制御プレーンによって、アクティブにされ、設定され得る。
−  ローカルデータネットワークへの低レイテンシサービスおよびアクセスをサポートするために、ユーザプレーン機能は、無線機の近くに展開され得る。中央データネットワークの場合、ＵＰＦは中央に展開され得る。
【０１０６】
ローカルサービスと集中型サービスとへのコンカレントアクセスは、以下のようにサポートされる。
−  （ローカルデータネットワークへのアクセスを与える）ローカルＵＰ機能と（中央データネットワークへのアクセスを与える）中央ＵＰ機能の両方への複数のＰＤＵセッション、または
−  単一のＰＤＵセッション。制御プレーンがそのために２つのＵＰ機能を設定しており、一方のＵＰ機能は、ローカルデータネットワークまたは中央データネットワークのいずれかに向かうトラフィック分類およびトラフィックステアリングを実施し、他方のＵＰ機能は、中央データネットワークへのアクセスを与える（図７．６．２−３に描かれている）。
注２：制御プレーンはまた、ローカルデータネットワークアクセスのための単一のＰＤＵセッション事例では、複数のＵＰ機能を設定することができる。
【０１０７】
図７．６．２  参照アーキテクチャ
【０１０８】
（３ＧＰＰ  ＴＲ２３．７９９ｖ１．０．２からのセクション７．６において図７．６．２−１として標示される）図７は、非ローミングアーキテクチャ機能的ビューを描いている。
【０１０９】
図７．６．２−１：非ローミング参照アーキテクチャ
【０１１０】
（３ＧＰＰ  ＴＲ２３．７９９ｖ１．０．２からのセクション７．６において図７．６．２−２として標示される）図８は、複数のＰＤＵセッションを使用してローカルデータネットワークと中央データネットワークとにコンカレントにアクセスするＵＥのための非ローミングアーキテクチャを描いている。
【０１１１】
図７．６．２−２：ローカルデータネットワークと中央データネットワークとへのコンカレントアクセスのための非ローミング参照アーキテクチャを適用すること（複数ＰＤＵセッションオプション）
【０１１２】
（３ＧＰＰ  ＴＲ２３．７９９ｖ１．０．２からのセクション７．６において図７．６．２−３として標示される）図９は、ローカルデータネットワークと中央データネットワークとへのコンカレントアクセスが単一のＰＤＵセッション内に与えられる場合の、非ローミングアーキテクチャを描いている。
【０１１３】
図７．６．２−３：ローカルデータネットワークと中央データネットワークとへのコンカレントアクセスのための非ローミング参照アーキテクチャを適用すること（単一のＰＤＵセッションオプション）
【０１１４】
（３ＧＰＰ  ＴＲ２３．７９９ｖ１．０．２からのセクション７．６からの図７．６．２−４として標示される）図１０は、ホームルーティングシナリオの場合のローミングアーキテクチャを描いている。
【０１１５】
図７．６．２−４：ローミング参照アーキテクチャ  −  ホームルーティングシナリオ
【０１１６】
（３ＧＰＰ  ＴＲ２３．７９９ｖ１．０．２からのセクション７．６からの図７．６．２−５として標示される）図１１は、ローカルブレークアウトシナリオの場合のローミングアーキテクチャを描いている。
【０１１７】
図７．６．２−５：ローミング参照アーキテクチャ  −  ローカルブレークアウトシナリオ
編集者の注：ＮＧ６＊とＮＧ６との間の選定は、ＰＤＵセッションが単一のＩＰアドレス／プレフィックスを有するのか複数のＩＰアドレス／プレフィックスを有するのかに依存する。両方のタイプがサポートされる必要があるかどうかはＦＦＳである。ＮＧ６とＮＧ６＊との間の区別が必要とされるかどうかもＦＦＳである。
編集者の注：すべての制御プレーンネットワーク機能のための相互接続モデルは、ＦＦＳである。
編集者の注：Ｈ−ＳＭＦからＮＧ−ＳＤＭへの（すなわちホームルーティングシナリオにおける）ＮＧ８の必要性は、ＦＦＳである。
注３：ＣＣＦの数にかかわらず、少なくともアクセス認証およびモビリティ管理を実装するＣＣＦのうちの１つで終端される、ＵＥとＣＮとの間の１つのＮＡＳインターフェースインスタンスのみがある。
注４：マルチベンダオープン（規格化）インターフェースを選択するための基準が決定されるべきである。
【０１１８】
７．６．３  ネットワーク機能および参照点
５Ｇ参照アーキテクチャは、以下の機能からなる。
−  ＮＧ加入者データ管理（ＮＧ  ＳＤＭ）
−  ＮＧ認証サーバおよび証明リポジトリ（ＮＧ  ＡＳＲ）
−  ＮＧポリシー制御機能（ＮＧ  ＰＣＦ）
−  ＮＧコアモビリティ管理機能（ＮＧ  ＭＭＦ）
−  ＮＧコアセッション管理機能（ＮＧ  ＳＭＦ）
−  ＮＧ認証機能（ＮＧ  ＡＵＦ）
−  ＮＧコアユーザプレーン機能（ＮＧ  ＵＰＦ）
−  ＮＧ  ＲＡＮ
−  ＮＧ  ＵＥ
−  データネットワーク、たとえばオペレータサービス、インターネットアクセス、または第三者サービス。
【０１１９】
以下は、制御プレーンとユーザプレーンとの間の機能性の高レベル分割である。
【０１２０】
ＮＧモビリティ管理機能（ＭＭＦ）は、以下の機能性を含む。
−  ＲＡＮ  ＣＰインターフェース（ＮＧ２）の終端
−  ＮＡＳ（ＮＧ１）の終端、ＮＡＳ暗号化および完全性保護
−  モビリティ管理
−  （ＭＭイベント、およびＬＩシステムに対するインターフェースのための）合法的インターセプト
−  アクセス認証およびＳＭメッセージをルーティングするための透過的プロキシ。
【０１２１】
ＮＧ認証機能（ＡＵＦ）は、以下の機能性を含む。
−  アクセス認証
−  ＵＥをサービスするためのＮＧＣの他の機能によって必要とされる鍵の導出。
編集者の注：ＡＵＦ機能性およびローミングアーキテクチャは、重要な問題＃１２、ＮｅｘｔＧｅｎのためのセキュリティフレームワークに対するＳＡ３の取組みの結果に基づいて更新される必要がある。
【０１２２】
ＮＧセッション管理機能（ＳＭＦ）は、以下の機能性を含む。
−  セッション管理
−  ＵＥ  ＩＰアドレス割り当ておよび管理（随意の許可を含む）
−  ＵＰ機能の選択および制御
−  ポリシー制御および課金機能に向かうインターフェースの終端
−  施行およびＱｏＳの制御部分を含む、ポリシーおよび課金ルールハンドリング
−  （ＳＭイベント、およびＬＩシステムに対するインターフェースのための）合法的インターセプト
注５：ＭＭＦ、ＳＭＦ、ＡＵＦ機能のすべてが、ネットワークスライスのＣＣＦのインスタンスにおいてサポートされる必要があるとは限らない。
【０１２３】
ＮＧコアユーザプレーン機能は、以下の機能性を含む。
−  （適用可能なとき）イントラ／インターＲＡＴモビリティのためのアンカーポイント
−  相互接続（たとえば、ＩＰ）の外部ＰＤＵセッションポイント。
−  パケットルーティングおよびフォワーディング
−  ユーザプレーンのためのＱｏＳハンドリング
−  パケット検査およびポリシールール施行
−  合法的インターセプト（ＵＰ収集）
−  トラフィックアカウンティングおよび報告
注６：ＵＰＦ機能のすべてが、ネットワークスライスのユーザプレーン機能のインスタンスにおいてサポートされる必要があるとは限らない。
【０１２４】
ＮＧポリシー機能は、以下の機能性を含む。
−  ネットワーク挙動を支配するために統一されたポリシーフレームワークをサポートする。
−  （１つまたは複数の）制御プレーン機能にポリシールールを与えて、ポリシールールを施行する。
編集者の注：ＮＧポリシー機能とＳＤＭとの間のインターフェースの必要はＦＦＳである。
【０１２５】
ＮＧ  ＡＳＲは、以下の機能性をサポートする。
−  認証証明リポジトリおよび処理機能  −  この機能は、認証において使用される長期セキュリティ証明を記憶する。
−  認証サーバ機能（ＡＵＳ）  −  この機能はＡＵＦと対話する。
編集者の注：ＡＳＲ機能性は、ＮｅｘｔＧｅｎのためのセキュリティフレームワークに対するＳＡ３の取組みの結果に基づいて更新される必要がある。
【０１２６】
ＮＧ  ＳＤＭは、以下の機能性をサポートする。
−  サブスクリプションリポジトリ
【０１２７】
５Ｇ参照アーキテクチャは、以下の参照点を含んでいる。
ＮＧ１：ＵＥとＮＧモビリティ管理機能との間の参照点。
ＮＧ２：ＲＡＮとＮＧモビリティ管理機能との間の参照点。
ＮＧ３：ＲＡＮとＮＧコアユーザプレーン機能との間の参照点。
ＮＧ４：ＮＧコアセッション管理機能とＮＧコアユーザプレーン機能との間の参照点。
ＮＧ５：ＮＧコアセッション管理機能とアプリケーション機能との間の参照点。
ＮＧ１１：モビリティ管理機能とセッション管理機能との間の参照点。
ＮＧ１２：モビリティ管理機能と認証機能との間の参照点。
ＮＧｔ：認証機能とＡＳＲ機能との間の参照点。
ＮＧ６：ＮＧコアＵＰ機能とデータネットワーク（ＤＮ）との間の参照点。
ＮＧ６＊：（ローカルデータネットワークと中央データネットワークの両方へのコンカレントアクセスが、単一のＩＰアドレス／プレフィックスをもつ１つのＰＤＵセッションに与えられるとき）ＮＧコアＵＰ機能とローカルデータネットワークとの間の参照点。
注７：ＮＧ６＊機構の詳細は、３ＧＰＰの範囲を超えている。
ＮＧ７：ＮＧセッション管理機能とＮＧポリシー制御機能との間の参照点。
ＮＧ８：ＮＧモビリティ管理機能と、認証機能と、加入者データ管理との間の参照点。
ＮＧ９：２つのＮＧコアユーザプレーン機能間の参照点。
ＮＧ７ｒ：Ｖ−ＰＣＦとＨ−ＰＣＦとの間の参照点。
ＮＧ−ＲＣ：Ｖ−ＳＭＦとＨ−ＳＭＦとの間の参照点。
【０１２８】
図１２は、いくつかの実施形態による、複数のネットワークスライスに接続されたユーザ機器（ＵＥ）の一実施形態を示すブロック図である。ＵＥは、共通ＣＰ機能（ＣＣＦ）において単一のＮＡＳ終端点を有する。これにより、ＲＡＮは、そのＵＥのための単一の制御プレーン（ＣＰ）インターフェースを有することになる。ユーザプレーン（ＵＰ）は、コアネットワークインスタンス（ＣＮＩ）ごとに分離されたものであるとして示されている。
【０１２９】
複数のネットワークスライスのために使用される１つの物理的ＲＡＮに関しては、２つの態様が、考慮に入れられるべきである。第１の態様は、異なるユースケースまたはビジネスシナリオについて別個の物理ネットワークを展開することと比較して、コストおよびエネルギー消費を低減するために、ネットワークスライシングが同じ物理的ネットワークインフラストラクチャ上のいくつかの異なる仮想ネットワークをサポートすることを可能にするべきであるということである。この利益を十分に活用するために、スライシング概念が、無線リソースおよびインフラストラクチャなどの共通リソースと、フロントホールおよびバックホールなどのスライス間のトランスポートリンクとの効率的な使用を可能にすることが必要とされる。第２の態様は、１つのスライスにおける輻輳が別のスライスに悪影響を及ぼさないように（しばしば、スライス隔離と呼ばれる）、システムにアクセスするＵＥのために使用される共通チャネルまたはリソースを保護するための機構が必要とされることである。現在、３ＧＰＰシステムでは、異なるサービスから広範な負荷について共通制御チャネルを保護するための何らかのサポートがある。これらの機構は、アクセスクラス禁止、拡張アクセス禁止、サービス固有アクセス禁止、ならびに実装形態固有のアドミッション制御などを含む。これらは、次のセクションで説明される。
【０１３０】
対処されていない１つの問題は、ネットワークにおける限られたスライス利用可能性に関係する。限られたスライス利用可能性は、所与のネットワークスライスが、セルラーネットワークのすべてのセル中でサポートされるとは限らないか、またはすべてのセル中のすべてのＵＥ／加入者のためにサポートされるとは限らないシナリオであり得る。そうである場合、ＵＥが異なるスライスサポートをもつエリア中に、またはそのエリア外に移動しているとき、問題が生じることになる。また、ＵＥが接続することを希望するかまたはすでに登録されたスライスが、そのエリア中で利用可能でない場合に、ＵＥが初めてネットワークに接続している（または再接続している）とき、問題が生じることになる。したがって、ネットワークにおける限られたスライス利用可能性をハンドリングするためのいくつかの実施形態が、本明細書で提案される。ソリューションの利点は、限られたスライス利用可能性が、以下のような問題を回避する一貫したやり方でハンドリングされるということである。
・限られたスライス利用可能性のエリア中で移動するＵＥのための頻繁なシグナリング。
・ＵＥがスライスに接続されたときおよび接続されていないときをＵＥが確実に知るようにすることと、ＵＥが接続されたとＵＥが考えているが、スライスがサポートされないエリアにＵＥが移動した場合を回避することとによる、一貫したユーザエクスペリエンス。
・異なるネットワークノード（ＣＮノード、基地局）が互いの間で異なるスライスのサポートを同期させることによる、ネットワークにおけるスライス利用可能性の効率的な管理。
・これは、スライス利用可能性を考慮したモビリティ制御を可能にし、ＣＮがＲＡＮによって与えられる情報に基づいてＵＥのためのスライスコネクティビティを管理することをも可能にするので、いくつかの副次的利点を有する。
【０１３１】
本明細書で開示される実施形態のいずれかの任意の特徴は、適切であればいかなる場合も、任意の他の実施形態に適用され得ることに留意されたい。同じように、実施形態のいずれかの任意の利点は、他の実施形態に適用され得、その逆も同様である。同封の実施形態の他の目的、特徴、および利点は、以下の説明から明らかになろう。
【０１３２】
概して、本明細書で使用されるすべての用語は、本明細書で別段明示的に規定されない限り、本技術分野におけるその通例の意味に従って解釈されるべきである。「１つの（ａ／ａｎ）／その（ｔｈｅ）要素、装置、構成要素、手段、ステップなど」へのすべての言及は、別段明示的に述べられていない限り、その要素、装置、構成要素、手段、ステップなどの少なくとも１つの事例を指すようにオープンに解釈されるべきである。本明細書で開示されるいずれの方法のステップも、明示的に述べられていない限り、開示される厳密な順序で実施される必要はない。
【０１３３】
添付の図面を参照しながら、次に、本明細書で企図された実施形態のうちのいくつかが以下でより十分に説明される。しかしながら、他の実施形態は、本開示の範囲内に含まれ、本発明は、本明細書で記載される実施形態のみに限定されるものとして解されるべきではない。むしろ、これらの実施形態は、当業者に発明的概念の範囲を伝達するために、例として提供される。同様の番号は、説明全体にわたって同様の要素を指す。
【０１３４】
テキストは、以下のように構造化される。
・限られたスライス利用可能性に関するいくつかの仮定
・ネットワークにおけるスライス利用可能性の情報をハンドリングするための例示的な実施形態。これらのソリューションは、進行中のＵＥセッションに依存しない。
・ＵＥに向けてネットワークにおけるスライス利用可能性をハンドリングするための例示的な実施形態
・限られたスライス利用可能性をもつネットワークに接続するためのＵＥにおける例示的な実施形態
・スライスリソースへのアクセスを管理するための例示的な方法
【０１３５】
限られたスライス利用可能性に関する仮定
ネットワークスライシングに対する取組みは３ＧＰＰ会議において進行しており、いくつかのテキストおよびアグリーメントが、技術報告などにおいて取り込まれている。しかしながら、それほど論じられなかった１つのトピックは、所与のネットワークスライスがすべての基地局／セルにおいて利用可能であるべきかどうか、またはその概念が、その基地局／セルのサブセットにおいてのみ利用可能であるネットワークスライスをサポートするべきかどうかである。
【０１３６】
すべてのスライスがすべての基地局またはセル中で利用可能であれば、技術的に単純であろうが、これを可能でないと仮定する。オペレータは、固有領域中でのみスライスを提供することを希望し得、同じスライスをサポートするように他の領域中の他のネットワークノードを設定しないことを選好し得る。スライスへのアクセスが、極めてロケーション依存であり、たとえば、企業構内、工場、処理プラント内のみであり、ネットワーク全体で与えられ得ない何らかの固有のビジネスまたは性能のニーズを満たす、シナリオも有り得る。したがって、このことから、すべてのネットワークスライスは、セルラーネットワークのすべての基地局中で利用可能になるとは限らないという結論を引き出す。すなわち、ネットワークは、典型的には、限られた利用可能性をもつスライスをサポートする。限られた利用可能性は、ここでは、以下を意味することができる。
・スライスが、固有エリア、たとえば、セル、領域、トラッキングエリアにおいてのみサポートされること
・スライスが、特殊な時間中に、たとえば、日中に、または、時、日、月、年であり得る所与の時間期間の間のみ、利用可能であること。
・スライスが、あるユーザのためにのみ利用可能であること。
・上記のことの組合せも可能であり、たとえば、ある時間の、あるエリアにおける、あるユーザのためにのみ利用可能である。
【０１３７】
ネットワークにおけるスライス利用可能性の情報をハンドリングするための例示的な実施形態。
スライスが常に利用可能であるとは限らないと仮定して、利用可能性に関する情報がどのようにネットワーク内でハンドリングされ得るかについてのソリューションが、ここで提案される。ソリューションは、以下のようである。
・異なるノードは、それらのノードがどのネットワークスライスをサポートするかを知っているか、またはそれに関する知識を伴って設定される。異なるノードは、ここで、たとえば、異なる基地局（たとえば、ｅＮＢ、ｇＮＢ）ならびに異なるＣＮノード（ＭＭＥ、ＭＭＦ、ＮＧ  ＣＮノード）であり得る。
・ノードがどのスライスをサポートするかに関する情報は、次いで、他のノードと交換される。これは、たとえば、以下のことを可能にする。
〇ＲＡＮノードは、各ＣＮノードがどのネットワークスライスをサポートするかを知っている。これは、次いで、ＵＥがネットワークに入り、ＲＡＮノードにスライスＩＤを与えるとき、ＣＮノード選択のために使用され得る。
〇異なるＲＡＮノードは、他のＲＡＮノードがどんなスライスをサポートするか、または他のＲＡＮノードのどのセルにおいて所与のスライスがサポートされるかを知ることになる。これは、次いで、ＵＥが接続されるスライスが、ターゲットＲＡＮノード／セルにおいてサポートされるという知識に基づいて、固有セルへのＵＥハンドオーバをトリガするために後で使用され得る。
〇ＣＮノードは、どのスライスが異なるＲＡＮノードにおいてサポートされるかを知っており、ＵＥのスライスコネクティビティを管理すること、たとえば、以下のことを可能にする。
・ＵＥが接続されるＲＡＮノードにおいてもはや利用可能でないスライスへの接続を削除すること。
・ＵＥが新しいＲＡＮノードに移動するときに利用可能になるスライスへの接続を追加すること。
・ネットワークスライスが、ＵＥが通信しているＲＡＮノードにおいてサポートされない場合、ＵＥからのスライスコネクティビティについての入来要求を拒否すること。
注：上記の例は、後の実施形態でさらに詳述される。
・スライスサポートのシグナリングは、ネットワークノード間の初期接続セットアップにおいて（たとえば、ＲＡＮノード間のＸ２／Ｘｎセットアップ、またはＣＮノードとＲＡＮノードとの間のＳ１／ＮＧセットアップにおいて）送られ得る。スライスサポートのシグナリングはまた、スライス利用可能性が変化する（たとえば、イベントがトリガされた）とき、動的に行われ得る。スライス利用可能性はまた、ＵＥ関係シグナリングとともに、たとえば以下において、伝達され得る。
〇基地局間のハンドオーバシグナリングにおいて
〇ＵＥがアイドルからアクティブ状態への状態遷移を実施するための（ＲＡＮからＣＮへの）初期ＵＥメッセージ中に
【０１３８】
ＵＥに向けてネットワークにおけるスライス利用可能性をハンドリングするための例示的な実施形態
一貫したＵＥ性能を得るために、ＵＥに向けて限られたスライス利用可能性をどのようにハンドリングすべきかについてのソリューションが提案される。いくつかの実施形態が考慮される。
【０１３９】
ＵＥが（ネットワーク設定に基づいて）ＵＥ自体によってセル選択を実施することによって特徴づけられる低電力状態のＵＥ
セルラーネットワークは、典型的には、ＵＥが、ネットワークに通知すること、ネットワークからのページングをリッスンすることなしにエリア中で移動することを可能にされる、ＣＮ  ＩＤＬＥのような電力節約段階をサポートする。ＣＮ  ＩＤＬＥにおいて、このエリアは、トラッキングエリアリストのエリアである。ただし、このエリアは、セルまたはセルのリストのエリアでもあり得る。
【０１４０】
限られたスライス利用可能性をもつネットワークでは、所与のスライスは、すべてのセルにおいてサポートされるとは限らない。その場合、電力節約中のＵＥが、ＵＥが接続されるスライスをサポートしないセルにキャンプオンしている場合、問題が生じることがある。セルがサポートするすべてのスライスに関する情報をセルが与えるとは限らないか、または電力を節約するためにＵＥがそのような情報を読み取らないと仮定すると、スライスがもはやサポートされないことをＵＥが知るやり方がない。この問題は、以下の実施形態を用いて対処される。
・ＵＥのためのページングエリアを管理することを担当するネットワークノード（たとえば、ＣＮノードまたはＲＡＮノード）（ページングエリアは、ＵＥが、モビリティ関連のシグナリングを実施することなしに動き回ることができるが、依然としてネットワークから到達可能であるエリアである）。ページングエリアは、セル、トラッキングエリア、ノードなどからなることができる。
・ネットワークノードは、固有のＵＥのための一貫したスライス利用可能性をもつページングエリアを作成するために、周囲のネットワークノードおよびセルにおけるスライス利用可能性に関する情報を、ＵＥがどのスライスに接続されるか、または接続されることが可能であるか、または接続することが可能にされるかに関する情報と組み合わせる。このプロセスにおいて使用される追加情報は、過去のＵＥモビリティ履歴、ＵＥサブスクリプションパラメータなどを含むことができる。
〇一貫したスライス利用可能性は、ここでは、同じスライスが、ページングエリアに属するすべてのノードまたはセルにおいてアクセス可能であることを意味する。
・ページングエリアは、次いでＵＥに伝達される。ＵＥは、モビリティシグナリングを生成することなしにページングエリア内で動き回ることを可能にされる。ＵＥがネットワーク外に移動した場合、ＵＥは、ネットワークにシグナリングすることを含むエリア更新プロシージャをトリガすることになる。このようにして、ネットワークノードは、ＵＥがページングエリアを出たことを知ることになる。
・ネットワークノードがＵＥからエリア更新シグナリングを受信すると、ネットワークノードは、必要な場合、ネットワークスライスの追加または削除をトリガすることができる。ネットワークノードはまた、潜在的に、新しいまたは削除されたスライスコネクティビティを潜在的に考慮して、同じく一貫したスライス利用可能性を有する新しいページングエリアを生成することができる。一例として、ＵＥが、スライス１、２および３をサポートするページングエリア外に移動した場合、ＵＥは、ページングエリア保守を担当するネットワークノードに向けてモビリティシグナリングを実施することになる。その結果、ＵＥが、スライス１および２のみがサポートされるエリア中に移動する場合、ネットワークノードは、スライス１および２が一貫して利用可能である新しいページングエリアをＵＥに与え得る。
【０１４１】
（たとえば、ハンドオーバを使用する）ネットワーク制御されるモビリティを伴うアクティブ状態のＵＥ
ＵＥがシステムにおいてアクティブであるとき、ＵＥは、ネットワークからデータを送信／受信することが可能である。典型的には、ネットワークは、ハンドオーバプロシージャを使用してこの状態でモビリティを制御する。ネットワークは、すべてのノード、セルまたは周波数帯域におけるすべてのスライスをサポートするとは限らないと仮定する。この場合、ＵＥは、スライスがサポートされないエリアにＵＥが移動する場合、スライスコネクティビティを失うことになる。これは、不十分なサービス性能につながることがある。この問題は、以下の実施形態を用いて対処される。
・たとえば、ＵＥモビリティ、無線測定値、．．．を考慮して、ＵＥのためにネットワーク制御されるハンドオーバを実施することを担当するネットワークノード。
・ネットワークノードは、ＵＥが接続されるか、または接続されることが可能であるか、または接続することが可能にされるスライスをサポートするハンドオーバ候補ノードまたはセルまたは周波数を選択するために、周囲のネットワークノードおよびセルにおけるスライス利用可能性に関する情報を、ＵＥがどのスライスに接続されるか、または接続されることが可能であるか、または接続することが可能にされるかに関する情報と組み合わせる。これは、たとえば、スライスが固有周波数レイヤまたは無線アクセス技術（ＲＡＴ）においてのみサポートされる事例に対処することができる。このようにして、ＵＥが、スライスをサポートする周波数レイヤまたはＲＡＴにダイレクトされ得るので、サービス中断は回避され得る。
・ネットワークノードがハンドオーバを行うことを強いられるが、ＵＥが接続されるスライスをサポートするノード、エリア、セル、．．．へのハンドオーバをトリガすることが可能でない場合。ネットワークノード（またはターゲットネットワークノード）は、ＵＥが接続されるスライスの削除を開始することができる。削除をアクティブに開始することによって、たとえば、サービスタイムアウトに依拠することと比較して、ＵＥの経験を積んだ性能が改善され得ることが予想される。スライス利用可能性に関する知識を使用して、ターゲットノードによって名目上サポートされないスライスを異なるスライスに移動することも、このソリューションでは可能である。すなわち、ターゲットノードにおいてもはや利用可能でないスライスに割り振られたサービスは、今や、これが可能にされる場合、ターゲットノードにおいて利用可能な別のスライスによってサポートされ得る。
【０１４２】
ＵＥが低電力状態からアクティブ状態に戻ること
この場合、ＵＥは、たとえば、シグナリングまたはユーザデータ転送を実施するために、アクティブ状態に遷移したいという要求をネットワークに送ることになる。受信するネットワークノードは、ネットワークにおけるスライス利用可能性に関する情報とともに、ＵＥがどのスライスに接続されるか、または接続されることを希望するかの知識に基づいて、ＵＥ要求を受け付けるかまたはそれを拒否するかのいずれかを決めることができる。たとえば、以下の通りである。
・ＵＥはネットワークノードＡに接続し、スライスＢへのコネクティビティを要求する。
・ネットワークノードは、スライスＢをサポートしない（たとえば、一時的であり得る）か、または現在、より多くのスライスＢユーザをサポートするためのリソースが残されていない。
・ネットワークノードはＵＥ要求を拒否するか、または要求を別のスライスにリダイレクトする。
【０１４３】
別の例は、以下の通りである。
・ＵＥはネットワークノードＡに接続し、スライスＢへのコネクティビティを要求する。
・ネットワークノードはスライスＢをサポートするが、ネイバーノードがスライスＢをサポートしないことを知っており、ネットワークノードは、スライスＢをサポートしないノードにＵＥが後で移動し得るとすれば、ＵＥ性能があまり良好でないことがあると決定する。
・ネットワークノードはＵＥ要求を拒否するか、または要求を別のスライスにリダイレクトする。
ネットワークがＵＥに送る拒否メッセージは、スライスがサポートされる、他の周波数帯域などへのリダイレクション命令を含むことができる。
【０１４４】
限られたスライス利用可能性をもつネットワークに接続するためのＵＥにおける例示的な実施形態
限られたスライス利用可能性をハンドリングするための、ＵＥにおける実施形態もある。これらの実施形態は、ＵＥが、システムのブロードキャストチャネルから情報を読み取ることを含むことができる（情報はネットワークからブロードキャストされる）。情報は、セルにおけるスライス利用可能性、ブロードキャスト情報が関連付けられた周波数に関係する。異なる副次的な実施形態が存在する。
・ネットワークは、セル／ノードにおけるスライス利用可能性をブロードキャストする。
・ネットワークは、スライス利用可能性に関連付けられたパラメータをブロードキャストし、このパラメータからスライス利用可能性へのマッピングが、ＵＥにおいて実施され、これは、早期の段階においてネットワークから受信された設定に基づいて可能であり得る。
〇この実施形態の利点は、たいがい、より少ない情報が、セルにおいてブロードキャストされる必要があるということであり、真のスライス利用可能性が、これを知るように設定されていたＵＥについてのみ知られ得るということである。
ＵＥがスライス利用可能性に関する情報を読み取ると、ＵＥは、異なる行為を行うことができる。
・ＵＥは、たとえば、ネットワークにシグナリングメッセージを送ることによって、スライス接続のセットアップまたは削除を開始することができる。
・所与のスライスがサポートされない場合、ＵＥは、たとえば、スライスがサポートされる、異なるセルまたは周波数またはＲＡＴへのセルまたは周波数またはＲＡＴ再選択を実施することができる。
・ＵＥの下位レイヤは、ブロードキャストされた情報に基づいて、スライスが利用可能であるかまたは利用可能でないかのいずれかであることを上位レイヤに通知することができる。
・他の行為も可能である。
【０１４５】
スライスリソースへのアクセスを管理するための例示的な方法
・ネットワークでは、スライス利用可能性に関する知識は、アクセス制御において、ならびに、リソースを異なるＵＥに割り振る際に使用され得る。ネットワークが、固有スライスまたはスライスのグループに関連付けられたスライスポリシーパラメータをＵＥに割り振ることは、可能である。ＵＥが、このスライスポリシーパラメータを示すスライスのためのリソースを要求するとき、ＲＡＮは、たとえば、スライスが利用可能であるか否かに基づいて、ＵＥ接続を受け付けるかまたは拒否するかのいずれかを行うことができる。
【０１４６】
同様の機能性はまた、１つのノードがＵＥが接続されるスライスのためのリソースを求めているとき、ネットワークノード間で適用され得る。リソース要求は、ＵＥがどのスライスを使用することを希望するかまたはどのスライスに接続されるかに関する情報を含むことができる。ターゲットノード（たとえば、サービング基地局、またはハンドオーバにおけるターゲット基地局）は、次いで、スライス利用可能性に基づいて要求を受け付けるかまたは拒否するかのいずれかを行うことができる。いくつかのスライスのためのリソースは受け付けられるが、他のスライスは受け付けられない部分拒否も可能である。
【０１４７】
ネットワークノード間で適用され得る他の機能性は、あるノード、たとえば、ＣＮノードが、別のノード、たとえばＲＡＮノードに送られるモビリティ制限リストを生成するためのものであり得る。このモビリティ制限リストは、ＵＥがどのスライスに接続されるかまたはどのスライスにアクセスし得るかに関する情報と、他のノードにおけるスライス利用可能性に関する情報とに基づき得る。このモビリティ制限リストは、次いで、たとえば、所与のスライスがサポートされないエリアにＵＥが進むことを回避するように、ＵＥのモビリティを制御するとき、他のノードによって使用され得る。モビリティ制限リストはまた、ＵＥセル選択を制御するためにＵＥに与えられ得る。
【０１４８】
図１３は、ネットワークノードにおける方法の流れ図である。本方法は、無線アクセスネットワークノードまたはコアネットワークノードなど、好適なネットワークノードにおいて実施され得る。無線アクセスネットワークノードおよびコアネットワークノードの例は、図１〜１２に示されている。一例として、本方法は、図２のネットワークノード２００によって実施され得る。ステップＳ１３１０において、ネットワークノード２００は、１つまたは複数のネイバリングネットワークノードに関連付けられたスライス利用可能性を取得する。ネイバリングネットワークノードは、本方法を実施するネットワークノードと同じタイプのノードを含み得る（たとえば、ｅＮＢのネイバリングノードは他のｅＮＢを含み得、ＭＭＥのネイバリングノードは他のＭＭＥを含み得、ゲートウェイのネイバリングノードは他のゲートウェイを含み得るなどである）。さらに、または代替として、ネイバリングノードは、異なるタイプのノードを含み得る。一例として、いくつかの実施形態では、コアネットワークノードは、無線アクセスネットワークノードに関連付けられたスライス利用可能性を取得し得る。別の例として、いくつかの実施形態では、無線アクセスノードは、コアネットワークノードに関連付けられたスライス利用可能性を取得し得る。いくつかの実施形態では、ネットワークスライス利用可能性は、複数のネットワークスライスのうちのどれが１つまたは複数のネイバリングネットワークノードの各々によってサポートされるかを示す。たとえば、いくつかの実施形態では、ネイバリングネットワークノードは、ネイバリングネットワークノードのうちの１つまたは複数が、すべてのネットワークスライスの限られたサブセットのみをサポートし得るか、および／またはネイバリングネットワークノードが、異なるネットワークスライスをサポートし得るように、限られたネットワークスライス利用可能性を有することがある。
【０１４９】
ステップＳ１３２０において、ネットワークノード２００は、１つまたは複数のネイバリングネットワークノードのネットワークスライス利用可能性に基づいて、図２の無線デバイス２１０または図３のＵＥ３００など、無線デバイスのスライスコネクティビティを管理する。このようにして、無線デバイス２１０とネットワークノード２００とを含む、無線ネットワークの性能は、取得されたネットワークスライス利用可能性を使用してコネクティビティを管理することによって改善され得る。
【０１５０】
いくつかの実施形態では、図１３で論じられる方法におけるいくつかのステップは、サブステップを含み得る。たとえば、いくつかの実施形態では、１つまたは複数のネイバリングノードは複数のコアネットワークノードを含む。いくつかの実施形態では、ステップＳ１３２０は随意のサブステップを含み得る。サブステップＳ１３２１において、ネットワークノード２００は、無線デバイス２１０がネットワークスライスのうちのどれを使用することを要求するかを示すスライス識別子を受信する。いくつかの実施形態では、単一のネットワークスライス識別子がネットワークノード２００において受信されるか、または代替的に２つ以上のネットワークスライス識別子が受信される。たとえば、いくつかの実施形態では、ネットワークノード２００において受信されるスライス識別子は、無線デバイス２１０が使用することを要求するネットワークスライスの各々について別個のスライス識別子を備え得る。サブステップ１３２２において、ネットワークノード２００は、ネットワークスライス利用可能性に基づいてコアネットワークノードのうちの１つまたは複数を選択する。コアネットワークノードのうちの１つまたは複数を選択することは、単一のコアネットワークノードを選択すること、コアネットワークノードのサブセット（たとえば、２つ以上のコアネットワークノードであるが、すべてのコアネットワークノードよりも少数のコアネットワークノードを含むサブセット）を選択すること、またはすべてのコアネットワークノードを選択することを含み得る。たとえば、（１つまたは複数の）コアネットワークノードは、コアネットワークノードの機能的グループに基づいて選択され得る。１つまたは複数の選択されたコアネットワークノードは、スライス識別子によって示されたネットワークスライスをサポートする。サブステップ１３２３において、ネットワークノード２００は、選択されたコアネットワークノードへのアクセスを無線デバイス２１０に与える。このようにして、ネットワークノード２００は、無線デバイス２１０が、要求されたネットワークスライスをサポートするコアネットワークノードへの適切なアクセスを与えられることを保証し得る。上記で説明されたように、これは、１つまたは複数のコアネットワークノードにおける限られたネットワークスライス利用可能性など、１つまたは複数のネットワークノードにおける限られたネットワークスライス利用可能性があるとき、特に重要である。
【０１５１】
いくつかの実施形態では、１つまたは複数のネイバリングノードは複数の無線ネットワークノードを含む。たとえば、１つまたは複数のネイバリングノードは、１つまたは複数のエボルブドノードＢまたは他の無線ネットワークノードを含み得る。一例として、１つまたは複数のネイバリングノードは、無線アクセスネットワーク１２０の少なくとも一部分を構成する１つまたは複数の無線ネットワークノードを含み得る。いくつかの実施形態では、無線デバイスのスライスコネクティビティを管理するステップ１３２０は、サブステップを含む。たとえば、いくつかの実施形態では、ネットワークノード２００は、無線デバイス２１０がネットワークスライスのうちのどれに接続されるかを決定し得る。ネットワークノード２００は、次いで、ネットワークスライス利用可能性に基づいてハンドオーバのための無線ネットワークノードのうちの１つを選択し得る。選択された無線ネットワークノードは、無線デバイス２１０が接続された（１つまたは複数の）ネットワークスライスをサポートする。ネットワークノード２００は、次いで、選択された無線ネットワークノードへの無線デバイス２１０のハンドオーバを開始し得る。このようにして、ネットワークノードは、無線デバイス２１０が現在接続された（１つまたは複数の）ネットワークスライスをサポートする無線ネットワークノードに無線デバイス２１０がハンドオーバされることを保証し得る。
【０１５２】
いくつかの実施形態では、スライスコネクティビティを管理することは、無線デバイスと、無線デバイスに関与するハンドオーバプロシージャのために選択されたネイバリングネットワークノードによってサポートされないネットワークスライスとの間の接続の削除を開始することを含む。たとえば、ネットワークノード２００は、ハンドオーバ中に、またはハンドオーバより前に、新しいネットワークノードにおいてサポートされないであろう特定のネットワークスライスへの接続を削除し得る。このようにして、ネットワークノード２００は、無線デバイス２１０が、ハンドオーバの後に、サポートされていないネットワークスライスにアクセスすることを試みるのを妨げ得る。
【０１５３】
いくつかの実施形態では、スライスコネクティビティを管理することは、無線デバイス２１０から、第１のネットワークスライスに接続したいという要求を受信することを含む。いくつかの実施形態では、ネットワークノード２００は、第１のネットワークノードが第１のネットワークスライスをサポートしないと決定し得る。応答して、ネットワークノード２００は要求を拒否し、無線デバイス２１０を別のネットワークスライスにリダイレクトし得る。このようにして、ネットワークノード２００は、無線デバイス２１０が、サポートされていないネットワークスライスにアクセスすることを試みるのを妨げ得る。
【０１５４】
いくつかの実施形態では、スライスコネクティビティを管理することは、無線デバイスから、第１のネットワークスライスに接続したいという要求を受信することを含む。いくつかの実施形態では、ネットワークノード２００は、無線デバイス２１０が、第１のネットワークスライスをサポートしないネイバリングネットワークノードに移動する可能性があると決定し得る。たとえば、ネットワークノード２００は、無線デバイス２１０が第１のネットワークスライスをサポートしない１つまたは複数のネイバリングネットワークノードに移動する可能性があることを予測するために、無線デバイス２１０の移動に関する情報または履歴接続情報を使用し得る。応答して、ネットワークノード２００は、（すなわち、無線デバイスが、第１のネットワークスライスをサポートしないネイバリングネットワークノードに移動する可能性に基づいて）、第１のネットワークスライスに接続したいという要求を拒否し得、無線デバイスを別のネットワークスライスにリダイレクトし得る。
【０１５５】
いくつかの実施形態では、複数のネットワークスライスは第１のネットワークスライスを含む。いくつかの実施形態では、図１３で論じられる方法は、随意の追加のステップを含み得る。ステップＳ１３３０において、ネットワークノード２００は、無線デバイスのための一貫したネットワークスライス利用可能性をもつページングエリアを作成する。ページングエリアは、ネットワークスライス利用可能性に基づいて、第１のネットワークスライスをサポートするネイバリングネットワークノードのうちの１つまたは複数を備える。たとえば、ページングエリアは、ネットワークスライス利用可能性が変化しないネイバリングネットワークノードのグループ、たとえば、カバレッジエリアを備え得る。いくつかの実施形態では、ページングエリアは、無線デバイス２１０に固有であり得る。たとえば、ページングエリアは、無線デバイス２１０が接続されるおよび／またはアクセスを要求し得るおよび／または無線デバイス２１０によってサポートされる、ネットワークスライスのすべてをサポートするネイバリングネットワークノードのグループを備え得る。随意のステップＳ１３４０において、ネットワークノード２００は、第１のネットワークスライスをサポートするページングエリアの指示を無線デバイスに通信し得る。このようにして、ネットワークノード２００は、ページングエリア内で移動するとき、不要なモビリティシグナリングを妨げる情報を無線デバイス２１０に与え得る。
【０１５６】
いくつかの実施形態では、ネットワークノード２００は、無線デバイス２１０がネットワークスライスのうちの１つへの接続を追加または削除したと決定し得る。ネットワークノード２００は、応答して、無線デバイスのための一貫したネットワークスライス利用可能性をもつ新しいページングエリアを作成し得る。たとえば、ネットワークノード２００は、どのネイバリングネットワークノードがネットワークスライスの変更されたセットをサポートするかを決定し、したがって新しいページングエリアを作成し得る。ネットワークノード２００は、次いで、新しいページングエリアを無線デバイスに通信し得る。このようにして、ネットワークノード２００は、無線デバイス２１０がネットワークスライスへの接続を追加または削除するときでも、無線デバイス２１０による不要なモビリティシグナリングを妨げ続け得る。
【０１５７】
いくつかの実施形態では、無線デバイス２１０のスライスコネクティビティを管理することは、無線デバイス２１０と第１のネットワークスライスとの間の接続を削除するサブステップを含む。たとえば、ネットワークノード２００は、ネットワークスライス利用可能性に基づいて、無線デバイスが、第１のネットワークスライスをサポートしない無線アクセスノードに接続されたと決定する。応答して、ネットワークノード２００は、第１のネットワークスライスへの接続を削除し得る。このようにして、無線デバイス２１０は、接続された無線アクセスノードによってサポートされないネットワークスライスにアクセスすることを試みるのを妨げられることになる。
【０１５８】
いくつかの実施形態では、無線デバイス２１０のスライスコネクティビティを管理することは、無線デバイス２１０と第１のネットワークスライスとの間の接続を追加するサブステップを含む。たとえば、ネットワークノードは、ネットワークスライス利用可能性に基づいて、無線デバイスが、第１のネットワークスライスをサポートする無線アクセスノードに接続されたと決定する。応答して、ネットワークノードは、第１のネットワークスライスへの接続を追加し得る。このようにして、無線デバイス２１０は、無線アクセスノードを通して利用可能なとき、ネットワークスライスへの接続を与えられ得る。したがって、無線デバイス２１０は、無線デバイス２１０および／または無線ネットワークの性能を最適化するネットワークスライスに接続され得る。たとえば、無線デバイス２１０は、第１のネットワークスライスが現在接続される無線アクセスノード上で利用不可能であるとき、代替ネットワークスライス上で動作し得る。第１のネットワークスライスが、同じ無線アクセスノードを通してまたは無線アクセスノードを変更した後でのいずれかで利用可能になった場合、無線デバイス２１０を第１のネットワークスライスに接続することは好ましいことがある。
【０１５９】
いくつかの実施形態では、無線デバイス２１０のスライスコネクティビティを管理することは、無線デバイスが、第１のネットワークスライスをサポートしない無線アクセスノードに接続されたと決定したことに応答して、無線デバイスを第１のネットワークスライスに接続したいという要求を拒否するサブステップを含む。たとえば、無線デバイス２１０は、第１のネットワークスライスをサポートする無線アクセスノードに前に接続されていたことがあるが、現在、第１のネットワークスライスをサポートしない第２の無線アクセスノードに接続している。別の例として、接続される無線アクセスノードは、第１のネットワークスライスをもはやサポートしないことがあるか、または無線デバイス２１０を第１のネットワークスライスに接続するためのリソースをもはや有しないことがあり、したがって、第１のネットワークスライスをサポートしない。
【０１６０】
いくつかの実施形態では、ネットワークスライスの各々は、他のネットワークスライスのネットワーク機能とは異なる特性を有するそれぞれのネットワーク機能をサポートするそれぞれの論理ネットワークを備える。いくつかの実施形態では、ネットワークスライスの各々は、他のネットワークスライスによってサポートされる事業活動に依存しないそれぞれの事業活動をサポートする。
【０１６１】
いくつかの実施形態では、ネットワークスライス利用可能性の少なくとも一部分は、第１のネットワークノードとネイバリングネットワークノードのうちの少なくとも１つとの間の初期接続セットアップ中に取得される。たとえば、無線ネットワークにおける各ネットワークノードは、ネットワークノード自体のネットワークスライス利用可能性、たとえば、どのネットワークスライスがネットワークノード上でサポートされるかにアクセスし得る。ノード間の初期接続セットアップ中に、ネットワークノード２００は、ネットワークノード２００のネットワークスライス利用可能性情報を通信し、ネイバリングノードからネットワークスライス利用可能性情報を受信し得る。このようにして、ネットワークノード２００は、初期接続セットアップ中にネットワークスライス利用可能性情報を取得し得る。
【０１６２】
いくつかの実施形態では、ネットワークスライス利用可能性の少なくとも一部分は、第１のネットワークノードとネイバリングネットワークノードのうちの１つとの間のハンドオーバシグナリングから取得される。たとえば、ネットワークノードは、無線デバイス２１０のハンドオーバのための信号を通信するとき、ネットワークノードのネットワークスライス利用可能性を交換し得る。さらに、いくつかの実施形態では、ネットワークノードが、そのネットワークノードのネイバリングノードのうちの１つ（たとえば、ネイバリングノードＡ）のネットワークスライス利用可能性を取得すると、ネットワークノードは、ネイバリングノードＡのネットワークスライス利用可能性をそのネットワークノードのネイバリングノードのうちの別のもの（たとえば、ネイバリングノードＢ）にフォワーディングし得る。したがって、ネットワークノードは、そのネットワークノード自体のネットワークスライス利用可能性および／または他のネットワークノードのネットワークスライス利用可能性を交換し得る。いくつかの実施形態では、ネットワークスライス利用可能性は、たとえば、追加のパラメータまたはメッセージとして、既存のハンドオーバシグナリングに組み込まれ得る。
【０１６３】
いくつかの実施形態では、ネットワークスライス利用可能性の少なくとも一部分は、無線デバイスがアイドル状態からアクティブ状態への状態遷移を実施したことに応答して取得される。たとえば、無線デバイス２１０は、状態遷移中に、無線デバイス２１０に知られているネットワークスライス利用可能性情報をネットワークノード２００に送信し得る。このようにして、ネットワークノード２００は、無線デバイス２１０がアクティブ状態に遷移するとき、無線デバイス２１０の接続を管理するために有用であり得るネットワークスライス利用可能性情報を取得し得る。
【０１６４】
いくつかの実施形態では、図１３で論じられる方法は、ネットワークノード２００においてスライス接続情報を維持する追加のステップを含む。スライス接続情報は、無線デバイス２１０がネットワークスライスのうちのどれに接続されるかを示し得る。ネットワークノード２００は、無線デバイス２１０がネットワークスライスのうちの１つへの接続を追加または削除したという指示を受信し得る。たとえば、無線デバイス２１０は、ネットワークスライスへのアクセスをもはや必要としないことがあるか、あるいは別のまたは追加のネットワークスライスへのアクセスを希望し得る。ネットワークノード２００は、受信された指示に基づいて、ネットワークノード２００のスライス接続情報（ネットワークノード２００によって維持されるスライス接続情報）を更新し得る。このようにして、ネットワークノード２００は、無線デバイス２１０のための現在スライス接続情報を維持し得る。スライス接続情報は、たとえば、スライス接続情報をシグナリングすることによる、別のネットワークノードにおける管理を含む、１つまたは複数のネットワークスライスへの無線デバイス２１０の接続を管理するために使用され得る。
【０１６５】
いくつかの実施形態では、ネットワークノード２００は、ネットワークノード２００のネットワークスライス利用可能性および／またはネイバリングネットワークノードのうちの１つまたは複数のネットワークスライス利用可能性に関連付けられたパラメータをブロードキャストし得る。いくつかの実施形態では、ネットワークノード２００は、ネットワークノード２００のネットワークスライス利用可能性をネイバリングネットワークノードのうちの１つまたは複数に通信する。ネイバリングネットワークノードおよび／または無線デバイス２１０は、ネットワークノード２００および／またはネイバリングネットワークノードのうちの１つまたは複数のネットワークスライス利用可能性を決定するために、パラメータから決定される情報を使用し得る。このようにして、ネットワークノード２００は、限られた利用可能性シナリオにおいて接続を管理するために使用され得るネットワークスライス利用可能性の情報を、無線デバイス２１０または他のネットワークノードに与え得る。
【０１６６】
ネットワークスライスは、単一のネットワークノードによって与えられる機能性、またはネットワーク全体にわたって分散される機能性を包含し得る。機能性は、任意の好適な様式で分散され得る。たとえば、いくつかの実施形態では、第１のネットワークノードは、ネットワークスライスの機能性の一部分を与え得、第２のネットワークノードは、ネットワークスライスの機能性の別の部分を与え得る。したがって、１つまたは複数のコアネットワークノードを選択することは、１つまたは複数のネットワークノード上に実装される１つまたは複数の機能的グループを選択することを含み得る。たとえば、ネットワークノード２００は、いくつかのコアネットワークノードの機能を選択し、いくつかのコアネットワークノードにわたる機能へのアクセスを無線デバイス２１０に与え得る。コアネットワークノードを選択することは、全体としてネットワークノードを選択すること、またはネットワークノード内の構成要素のサブセット（たとえば、ハードウェア、ソフトウェア、リソース、メモリなどのサブセット）に限定されるコアネットワークノード内の機能的グループまたは機能を選択することを含み得る。
【０１６７】
図１４は、いくつかの実施形態による、図２中の無線デバイス２１０または図３中のＵＥ３００など、無線デバイスにおける方法の流れ図である。ステップＳ１４１０において、無線デバイス２１０は、ネットワークノード２００などのネットワークノードから、ネットワークノードを含むネットワークにおけるネットワークスライス利用可能性に関連付けられた情報を受信する。いくつかの実施形態では、ネットワークスライス利用可能性に関連付けられた情報の少なくとも一部分は、ネットワークノードからのブロードキャスト中で受信される。いくつかの実施形態では、ネットワークスライス利用可能性に関連付けられた情報の少なくとも一部分は、ネットワークノードからのブロードキャストを受信することより前にネットワークから受信されたネットワーク設定情報に基づく。
【０１６８】
ステップＳ１４２０において、無線デバイス２１０は、第１のネットワークスライスへのアクセスについてのコネクティビティ要求をネットワークノード２００に通信する。第１のネットワークスライスは、ネットワークノードから受信されたネットワークスライス利用可能性に関連付けられた情報に少なくとも部分的に基づいて、無線デバイス２１０によって選択され得る。たとえば、無線デバイス２１０は、ネットワークノード２００が１つまたは複数のネットワークスライスをサポートすることを示すネットワークスライス利用可能性情報を受信し得る。応答して、無線デバイス２１０は、ネットワークノード２００によってサポートされるネットワークスライスについての無線デバイス２１０のコネクティビティ要求を通信し得る。第１のネットワークスライスは、無線デバイスの接続必要性に基づく無線デバイスの第１の選定であり得るか、または代替的にネットワークノード２００における利用可能性に基づく代替選定であり得る。いくつかの実施形態では、無線デバイス２１０は、アイドル状態からアクティブ状態への状態遷移を実施するとき、ネットワークスライス利用可能性に関連付けられた情報をネットワークノード２００に通信する。
【０１６９】
いくつかの実施形態では、図１４で論じられる方法は、追加の随意のステップを含む。いくつかの実施形態では、無線デバイス２１０は、ネットワークスライス利用可能性に関連付けられた情報に基づいて、ネットワークスライス接続のセットアップを開始する。いくつかの実施形態では、無線デバイス２１０は、ネットワークスライス利用可能性に関連付けられた情報に基づいて、ネットワークスライス接続の削除を開始する。このようにして、無線デバイス２１０は、ネットワークスライス利用可能性に関連付けられた情報に基づいてネットワークスライス接続を調整し得る。たとえば、無線デバイス２１０は、無線デバイス２１０が接続されるネットワークノード上でサポートされるネットワークスライスへの接続を維持または確立することを希望し得るにすぎない。そうする際に、無線デバイス２１０は、サポートされていないネットワークスライスにアクセスしようとする試みを妨げ得る。
【０１７０】
いくつかの実施形態では、無線デバイス２１０は、ネットワークスライス利用可能性に関連付けられた情報に基づいて、セル、周波数、または無線アクセス技術のうちの１つまたは複数の再選択を実施する。たとえば、特定のネットワークスライスは、現在のセル、周波数、および／または無線アクセス技術上で利用可能でないことがある。無線デバイス２１０は、次いで、ネットワークスライスをサポートするセル、周波数、および／または無線アクセス技術を選択するために再選択を実施し得る。いくつかの実施形態では、再選択を実施することは、無線デバイスがその上で動作している現在のセル、周波数、または無線アクセス技術（ＲＡＴ）が第１のネットワークスライスをサポートしないと決定することを含む。無線デバイス２１０は、次いで、第１のネットワークスライスをサポートする新しいセル、周波数、またはＲＡＴを選択し得る。選択されると、無線デバイス２１０は、次いで、新しいセル、周波数、またはＲＡＴを通して第１のネットワークスライスにアクセスし得る。このようにして、無線デバイス２１０は、無線デバイス２１０が現在のセル、周波数、または無線アクセス技術上で利用可能でない場合でも、所望のネットワークスライスに接続し得る。
【０１７１】
いくつかの実施形態では、無線デバイス２１０は、第１のネットワークスライスを示すスライス識別子を通信する。たとえば、無線デバイス２１０はスライス識別子をネットワークノード２００に通信し得る。ネットワークノード２００は、次いで、無線デバイスがどのネットワークスライスにアクセスすることを要求するかを識別し得る。応答して、ネットワークノード２００は、どのコアネットワークノードが所望のネットワークスライスをサポートするかを決定し得る。無線デバイス２００は、次いで、スライス識別子によって示された第１のネットワークスライスをサポートするコアネットワークノードにアクセスし得る。このようにして、無線デバイス２１０は、所望の接続を１つまたは複数のネットワークスライスに与えるために、正しいコアネットワークノードを選択するための情報をネットワークノード２００に与え得る。
【０１７２】
いくつかの実施形態では、無線デバイス２１０は、第２のネットワークノードへのハンドオーバプロシージャの開始を受信する。たとえば、第２のネットワークノードは第１のネットワークスライスをサポートし得る。無線デバイス２１０は、次いで、第２のネットワークノードへのハンドオーバを完了し、第２のネットワークノードを通して第１のネットワークスライスにアクセスし得る。このようにして、無線デバイスは、第２のネットワークノードにハンドオーバされるにもかかわらず、第１のネットワークスライスにアクセスし続け得る。
【０１７３】
いくつかの実施形態では、無線デバイス２１０は、無線デバイスのための一貫したネットワークスライス利用可能性をもつページングエリアを受信する。ページングエリアは、１つまたは複数のネイバリングネットワークノードのネットワークスライス利用可能性に基づいて、第１のネットワークスライスをサポートする１つまたは複数のネイバリングネットワークノードを含む。たとえば、ページングエリアは、ネイバリングネットワークノードのうちのどれが第１のネットワークスライスをサポートするかについての指示を含み得る。無線デバイス２１０は、次いで、無線デバイスがページングエリア内にあるとき、モビリティシグナリングの生成を妨げ得る。たとえば、無線デバイスは、ページングエリア内で移動するとき、ネットワークノード間で移動する場合でも、モビリティシグナリングを抑制し得る。いくつかの実施形態では、無線デバイス２１０は、無線デバイスが、受信されたページングエリア外に移動するとき、無線デバイスからエリア更新シグナリングを通信する。たとえば、無線デバイス２１０が、第１のネットワークスライスをサポートしないネットワークノードに移動する場合、無線デバイス２１０は、現在のネットワークノードに送るべきエリア更新を生成し得る。無線デバイス２１０は、次いで、無線デバイスのための一貫したネットワークスライス利用可能性をもつ新しいページングエリアを受信し得る。たとえば、無線デバイス２１０は、無線デバイス２１０が接続される現在のネットワークノードにおいてサポートされるのと同じネットワークスライスをサポートするネイバリングネットワークノードを含むページングエリアを受信し得る。
【０１７４】
いくつかの実施形態では、無線デバイス２１０は、無線デバイス２１０のネットワークスライス接続情報をネットワークノードに通信する。無線デバイス２１０は、次いで、ネットワークノードからハンドオーバシグナリングを受信し得る。ハンドオーバシグナリングは、ネイバリングネットワークノードのネットワークスライス利用可能性と無線デバイスのネットワークスライス接続情報とに基づくハンドオーバ候補を含み得る。たとえば、ハンドオーバ候補は、ネットワークスライス接続情報に基づいて無線デバイス２１０が接続されるかまたは要求する可能性があるネットワークスライスの各々をサポートするネットワークノードであるように選択され得る。無線デバイス２１０は、次いで、ハンドオーバ候補に接続し得る。このようにして、無線デバイス２１０は、無線デバイスが接続されるネットワークスライスをサポートする適切なハンドオーバ候補をネットワークノード２００が選択するのに十分な情報を与え得る。いくつかの実施形態では、ハンドオーバ候補は、第１のネットワークスライスをサポートしない。無線デバイス２１０は、次いで、第２のネットワークスライスに接続し得る。たとえば、無線デバイス２１０は、第１のネットワークスライスに最も密接に関係するか、あるいは第１のネットワークスライスによって与えられる機能性と最も重なる機能性を与えるネットワークスライスに接続し得る。
【０１７５】
本明細書で説明される任意のステップまたは特徴は、いくつかの実施形態を例示するにすぎない。すべての実施形態が、開示されるすべてのステップまたは特徴を組み込むことも、本明細書で描かれるかまたは説明される厳密な順序でステップが実施されることも必要とされない。その上、いくつかの実施形態は、本明細書で開示されるステップのうちの１つまたは複数に固有のステップを含む、本明細書で例示または説明されないステップまたは特徴を含み得る。
【０１７６】
任意の適切なステップ、方法、または機能は、たとえば、上記の図のうちの１つまたは複数に例示された構成要素および機器によって実行され得るコンピュータプログラム製品を通して実施され得る。たとえば、ストレージ２０３は、コンピュータプログラムが記憶され得るコンピュータ可読手段を備え得る。コンピュータプログラムは、プロセッサ２０２（ならびにインターフェース２０１およびストレージ２０３など、動作可能に結合されたエンティティおよびデバイス）に、本明細書で説明される実施形態による方法を実行させる命令を含み得る。コンピュータプログラムおよび／またはコンピュータプログラム製品は、こうして、本明細書で開示される任意のステップを実施するための手段を提供し得る。
【０１７７】
任意の適切なステップ、方法、または機能は、１つまたは複数の機能的モジュールを通して実施され得る。各機能的モジュールは、ソフトウェア、コンピュータプログラム、サブルーチン、ライブラリ、ソースコード、または、たとえば、プロセッサによって実行される任意の他の形態の実行可能な命令を備え得る。いくつかの実施形態では、各機能的モジュールは、ハードウェアでおよび／またはソフトウェアで実装され得る。たとえば、１つまたは複数のまたはすべての機能的モジュールは、場合によってはストレージ２１３および／または２０３と協働して、プロセッサ２１２および／または２０２によって実装され得る。プロセッサ２１２および／または２０２ならびにストレージ２１３および／または２０３は、こうして、それぞれの機能的モジュールが本明細書で開示される任意のステップまたは機能を実施することを可能にするために、プロセッサ２１２および／または２０２が、ストレージ２１３および／または２０３から命令をフェッチし、フェッチされた命令を実行することを可能にするように配置され得る。
【０１７８】
発明的概念のいくつかの態様が、主に、数個の実施形態を参照しながら上記で説明された。しかしながら、当業者によって容易に諒解されるように、上記で開示された実施形態以外の実施形態が等しく可能であり、発明的概念の範囲内にある。同様に、若干の異なる組合せが論じられたが、すべての可能な組合せが開示されたとは限らない。当業者は、他の組合せが存在し、発明的概念の範囲内にあることを諒解するであろう。その上、当業者によって理解されているように、本明細書で開示される実施形態は、そのようなものとして他の規格および通信システムにも適用可能であり、他の特徴と関連付けて開示される特定の図からの任意の特徴は、任意の他の図に適用可能であり、および／または異なる特徴と組み合わせられ得る。
【０１７９】
本開示の範囲から逸脱することなく、本明細書で説明されるシステムおよび装置に対して修正、追加、または省略が行われ得る。システムおよび装置の構成要素は、統合または分離され得る。その上、システムおよび装置の動作は、より多数の、より少数の、または他の構成要素によって実施され得る。さらに、システムおよび装置の動作は、ソフトウェア、ハードウェア、および／または他の論理を含む任意の好適な論理を使用して実施され得る。本明細書で使用される「各々」は、セットの各部材またはセットのサブセットの各部材を指す。
【０１８０】
本開示の範囲から逸脱することなく、本明細書で説明される方法に対して修正、追加、または省略が行われ得る。本方法は、より多数の、より少数の、または他のステップを含み得る。さらに、ステップは、任意の好適な順序で実施され得る。
【０１８１】
本開示はいくつかの実施形態に関して説明されたが、実施形態の改変および置換は当業者に明らかである。したがって、実施形態の上記の説明は、本開示を制約しない。他の変更、置換、および改変が、以下の特許請求の範囲によって規定される、本開示の趣旨および範囲から逸脱することなく可能である。
【図１】
2020502884.tif 000003
【図２】
2020502884.tif 000004
【図３】
2020502884.tif 000005
【図４】
2020502884.tif 000006
【図５】
2020502884.tif 000007
【図６】
2020502884.tif 000008
【図７】
2020502884.tif 000009
【図８】
2020502884.tif 000010
【図９】
2020502884.tif 000011
【図１０】
2020502884.tif 000012
【図１１】
2020502884.tif 000013
【図１２】
2020502884.tif 000014
【図１３】
2020502884.tif 000015
【図１４】
2020502884.tif 000016
【国際調査報告】
2020502884.tif 000017
2020502884.tif 000018